(57)【特許請求の範囲】
【請求項１】
少なくとも二つのキャリアを使って通信を実行する通信システムにおいて使われるスケジューリング方法であって、各キャリアは送信周波数帯域および受信周波数帯域を含み、当該方法は：
無線送信装置によって各キャリアの送信周波数帯域から、各キャリアについての送信サブ周波数帯域を選択する段階であって、少なくとも一つの送信サブ周波数帯域が、該少なくとも一つの送信サブ周波数帯域が位置している送信周波数帯域の真部分集合であり、それにより、前記少なくとも二つのキャリアの送信サブ周波数帯域によって生成される相互変調干渉信号によって占められる周波数範囲と各キャリアの受信周波数帯域との間には重ならない部分が存在し、該重ならない部分は重ならない周波数範囲であり、前記相互変調干渉信号によって占められる周波数範囲は相互変調信号干渉帯域である、段階と；
前記無線送信装置によって、各キャリアの前記送信サブ周波数帯域を使って下りリンク・スケジューリングを実行し、前記重ならない周波数範囲を使って上りリンク・スケジューリングを実行する段階とを含む、
方法。
【請求項２】
前記相互変調干渉信号によって占められる周波数範囲と各キャリアの受信周波数帯域との間の前記重ならない周波数範囲は、そのキャリアの受信周波数帯域の周波数範囲の全部または一部である、請求項１記載の方法。
【請求項３】
リストが前記無線送信装置に記憶されており、前記リストは、複数の送信サブ周波数帯域組み合わせと、各送信サブ周波数帯域組み合わせに対応する相互変調信号干渉帯域とを含み、各キャリアの送信周波数帯域は少なくとも二つのサブ周波数範囲を含み、前記少なくとも二つのサブ周波数範囲の任意の組み合わせがそのキャリアの送信サブ周波数帯域であり、各送信サブ周波数帯域組み合わせは、各キャリアの一つの送信サブ周波数帯域を含み、無線送信装置によって各キャリアの送信周波数帯域から、各キャリアについての送信サブ周波数帯域を選択する前記段階は：
前記リストから、ポリシーの要求を満たす目標送信サブ周波数帯域組み合わせを選択する段階であって、前記目標送信サブ周波数帯域組み合わせに対応する相互変調信号干渉帯域と各キャリアの受信周波数帯域との間には重ならない部分が存在する、段階と；
各キャリアの前記送信周波数帯域から前記送信サブ周波数帯域を、前記目標送信サブ周波数帯域組み合わせに従って選択する段階とを含む、
請求項１または２記載の方法。
【請求項４】
前記ポリシーは、次のポリシー：上りリンク資源利用最大化ポリシー、サービス・トラフィック要求ポリシーおよび干渉許容度ポリシーのうちの一つまたは複数を含み、ここで、
前記上りリンク資源利用最大化ポリシーは、前記目標送信サブ周波数帯域組み合わせに対応する前記相互変調信号干渉帯域と各キャリアの受信周波数帯域との間に存在する前記重ならない部分が最大化されることを要求し；
前記サービス・トラフィック要求ポリシーは、前記目標送信サブ周波数帯域組み合わせにおける各キャリアの送信サブ周波数帯域が、あるサービス・トラフィック要求を満たすことを要求し；
前記干渉許容度ポリシーは、前記目標送信サブ周波数帯域組み合わせに対応する前記相互変調信号干渉帯域と各キャリアの受信周波数帯域との間に存在する前記重ならない部分が事前設定された閾値以上であることを要求する、
請求項３記載の方法。
【請求項５】
前記無線送信装置にリストが記憶されており、前記リストは、複数の送信サブ周波数帯域組み合わせと、各送信サブ周波数帯域組み合わせに対応する重ならない周波数範囲とを含み、各キャリアの送信周波数帯域は少なくとも二つのサブ周波数範囲を含み、前記少なくとも二つのサブ周波数範囲の任意の組み合わせはそのキャリアの送信サブ周波数帯域であり、各送信サブ周波数帯域組み合わせは各キャリアの一つの送信サブ周波数帯域を含み、無線送信装置によって各キャリアの送信周波数帯域から、各キャリアについての送信サブ周波数帯域を選択する前記段階は：
前記リストから、あるポリシーの要求を満たす目標送信サブ周波数帯域組み合わせを選択し；
該目標送信サブ周波数帯域組み合わせに従って、各キャリアの送信周波数帯域から前記送信サブ周波数帯域を選択することを含む、
請求項１または２記載の方法。
【請求項６】
前記ポリシーは、次のポリシー：上りリンク資源利用最大化ポリシー、サービス・トラフィック要求ポリシーおよび干渉許容度ポリシーのうちの一つまたは複数を含み、ここで、
前記上りリンク資源利用最大化ポリシーは、前記目標送信サブ周波数帯域組み合わせに対応する前記重ならない周波数範囲が最大化されることを要求し；
前記サービス・トラフィック要求ポリシーは、前記目標送信サブ周波数帯域組み合わせにおける各キャリアの送信サブ周波数帯域が、あるサービス・トラフィック要求を満たすことを要求し；
前記干渉許容度ポリシーは、前記目標送信サブ周波数帯域組み合わせに対応する前記重ならない周波数範囲が事前設定された閾値以上であることを要求する、
請求項５記載の方法。
【請求項７】
各キャリアの送信周波数帯域は同じ量のサブ周波数範囲を含み、それらのサブ周波数範囲のそれぞれは同じ帯域幅をもつ、請求項３記載の方法。
【請求項８】
各キャリアの送信周波数帯域は少なくとも二つのサブ周波数範囲を含み；各キャリアについて、前記少なくとも二つのサブ周波数範囲の任意の組み合わせはそのキャリアの送信サブ周波数帯域であり；無線送信装置によって各キャリアの送信周波数帯域から、各キャリアについての送信サブ周波数帯域を選択する前記段階は：
すべての送信サブ周波数帯域組み合わせをたどって、各送信サブ周波数帯域組み合わせに対応する相互変調信号干渉帯域を決定する段階であって、各送信サブ周波数帯域組み合わせは各キャリアの一つの送信サブ周波数帯域を含む、段階と；
各キャリアの受信周波数帯域との間に重ならない部分がある相互変調信号干渉帯域に対応する送信サブ周波数帯域組み合わせを見出す段階と；
見出された送信サブ周波数帯域組み合わせから、あるポリシーの要求を満たす目標送信サブ周波数帯域組み合わせを選択する段階と；
該目標送信サブ周波数帯域組み合わせに従って、各キャリアの送信周波数帯域から前記送信サブ周波数帯域を選択する段階とを含む、
請求項１または２記載の方法。
【請求項９】
前記ポリシーは、次のポリシー：上りリンク資源利用最大化ポリシー、サービス・トラフィック要求ポリシーおよび干渉許容度ポリシーのうちの一つまたは複数を含み、ここで、
前記上りリンク資源利用最大化ポリシーは、前記目標送信サブ周波数帯域組み合わせに対応する前記相互変調信号干渉帯域と各キャリアの受信周波数帯域との間に存在する前記重ならない部分が最大化されることを要求する、または前記目標送信サブ周波数帯域組み合わせに対応する前記重ならない周波数範囲が最大化されることを要求し；
前記サービス・トラフィック要求ポリシーは、前記目標送信サブ周波数帯域組み合わせにおける各キャリアの送信サブ周波数帯域が、あるサービス・トラフィック要求を満たすことを要求し；
前記干渉許容度ポリシーは、前記目標送信サブ周波数帯域組み合わせに対応する前記相互変調信号干渉帯域と各キャリアの受信周波数帯域との間に存在する前記重ならない部分が事前設定された閾値以上であることを要求する、または前記目標送信サブ周波数帯域組み合わせに対応する前記重ならない周波数範囲が事前設定された閾値以上であることを要求する、
請求項８記載の方法。
【請求項１０】
少なくとも二つのキャリアを使って通信を実行する通信システムにおいて使われるスケジューリング方法であって、各キャリアは送信周波数帯域および受信周波数帯域を含み、当該方法は：
無線送信装置によって前記少なくとも二つのキャリアから、相互変調によって干渉を受けうる目標キャリアを判別し；
前記無線送信装置によって、前記目標キャリアの受信周波数帯域から、前記目標キャリアについての受信サブ周波数帯域を選択し；
前記無線送信装置によって、各キャリアについての送信サブ周波数帯域を、選択された受信サブ周波数帯域に従って、前記少なくとも二つのキャリアの送信サブ周波数帯域によって生成される相互変調干渉信号によって占められる周波数範囲と前記目標キャリアの受信周波数帯域との間に重ならない部分が存在するように、決定する段階であって、前記重ならない部分は前記選択された受信サブ周波数帯域を含む、段階を実行し；
前記無線送信装置によって、各キャリアの前記送信サブ周波数帯域を使って下りリンク・スケジューリングを実行し、前記受信サブ周波数帯域を使って上りリンク・スケジューリングを実行することを含む、
方法。
【請求項１１】
少なくとも二つのキャリアを使って通信を実行する通信システムにおいて使われる無線送信装置であって、各キャリアは送信周波数帯域および受信周波数帯域を含み、当該装置は：
各キャリアの送信周波数帯域から、各キャリアについての送信サブ周波数帯域を選択するよう構成された選択ユニットであって、少なくとも一つの送信サブ周波数帯域が、該少なくとも一つの送信サブ周波数帯域が位置している送信周波数帯域の真部分集合であり、それにより、前記少なくとも二つのキャリアの送信サブ周波数帯域によって生成される相互変調干渉信号によって占められる周波数範囲と各キャリアの受信周波数帯域との間には重ならない部分が存在し、該重ならない部分は重ならない周波数範囲であり、前記相互変調干渉信号によって占められる周波数範囲は相互変調信号干渉帯域である、選択ユニットと；
各キャリアの前記送信サブ周波数帯域を使って下りリンク・スケジューリングを実行し、前記重ならない周波数範囲を使って上りリンク・スケジューリングを実行するよう構成されたスケジューリング・ユニットとを有する、
無線送信装置。
【請求項１２】
前記相互変調干渉信号によって占められる周波数範囲と各キャリアの受信周波数帯域との間の前記重ならない周波数範囲は、そのキャリアの受信周波数帯域の周波数範囲の全部または一部である、請求項１１記載の無線送信装置。
【請求項１３】
リストが前記無線送信装置に記憶されており、前記リストは、複数の送信サブ周波数帯域組み合わせと、各送信サブ周波数帯域組み合わせに対応する相互変調信号干渉帯域とを含み、各キャリアの送信周波数帯域は少なくとも二つのサブ周波数範囲を含み、前記少なくとも二つのサブ周波数範囲の任意の組み合わせがそのキャリアの送信サブ周波数帯域であり、各送信サブ周波数帯域組み合わせは、各キャリアの一つの送信サブ周波数帯域を含み、前記選択ユニットは：
前記リストから、ポリシーの要求を満たす目標送信サブ周波数帯域組み合わせを選択する段階であって、前記目標送信サブ周波数帯域組み合わせに対応する相互変調信号干渉帯域と各キャリアの受信周波数帯域との間には重ならない部分が存在する、段階と；
各キャリアの前記送信周波数帯域から前記送信サブ周波数帯域を、前記目標送信サブ周波数帯域組み合わせに従って選択する段階とを実行するよう構成されている、
請求項１１または１２記載の無線送信装置。
【請求項１４】
前記ポリシーは、次のポリシー：上りリンク資源利用最大化ポリシー、サービス・トラフィック要求ポリシーおよび干渉許容度ポリシーのうちの一つまたは複数を含み、ここで、
前記上りリンク資源利用最大化ポリシーは、前記目標送信サブ周波数帯域組み合わせに対応する前記相互変調信号干渉帯域と各キャリアの受信周波数帯域との間に存在する前記重ならない部分が最大化されることを要求し；
前記サービス・トラフィック要求ポリシーは、前記目標送信サブ周波数帯域組み合わせにおける各キャリアの送信サブ周波数帯域が、あるサービス・トラフィック要求を満たすことを要求し；
前記干渉許容度ポリシーは、前記目標送信サブ周波数帯域組み合わせに対応する前記相互変調信号干渉帯域と各キャリアの受信周波数帯域との間に存在する前記重ならない部分が事前設定された閾値以上であることを要求する、
請求項１３記載の無線送信装置。
【請求項１５】
当該無線送信装置にリストが記憶されており、前記リストは、複数の送信サブ周波数帯域組み合わせと、各送信サブ周波数帯域組み合わせに対応する重ならない周波数範囲とを含み、各キャリアの送信周波数帯域は少なくとも二つのサブ周波数範囲を含み、前記少なくとも二つのサブ周波数範囲の任意の組み合わせはそのキャリアの送信サブ周波数帯域であり、各送信サブ周波数帯域組み合わせは各キャリアの一つの送信サブ周波数帯域を含み、前記選択ユニットは：
前記リストから、あるポリシーの要求を満たす目標送信サブ周波数帯域組み合わせを選択し；
前記目標送信サブ周波数帯域組み合わせに従って、各キャリアの送信周波数帯域から前記送信サブ周波数帯域を選択するよう構成されている、
請求項１１または１２記載の無線送信装置。
【請求項１６】
前記ポリシーは、次のポリシー：上りリンク資源利用最大化ポリシー、サービス・トラフィック要求ポリシーおよび干渉許容度ポリシーのうちの一つまたは複数を含み、ここで、
前記上りリンク資源利用最大化ポリシーは、前記目標送信サブ周波数帯域組み合わせに対応する前記重ならない周波数範囲が最大化されることを要求し；
前記サービス・トラフィック要求ポリシーは、前記目標送信サブ周波数帯域組み合わせにおける各キャリアの送信サブ周波数帯域が、あるサービス・トラフィック要求を満たすことを要求し；
前記干渉許容度ポリシーは、前記目標送信サブ周波数帯域組み合わせに対応する前記重ならない周波数範囲が事前設定された閾値以上であることを要求する、
請求項１５記載の無線送信装置。
【請求項１７】
各キャリアの送信周波数帯域は同じ量のサブ周波数範囲を含み、それらのサブ周波数範囲のそれぞれは同じ帯域幅をもつ、請求項１３ないし１６のうちいずれか一項記載の無線送信装置。
【請求項１８】
各キャリアの送信周波数帯域は少なくとも二つのサブ周波数範囲を含み；各キャリアについて、前記少なくとも二つのサブ周波数範囲の任意の組み合わせはそのキャリアの送信サブ周波数帯域であり；前記選択ユニットは：
すべての送信サブ周波数帯域組み合わせをたどって、各送信サブ周波数帯域組み合わせに対応する相互変調信号干渉帯域を決定する段階であって、各送信サブ周波数帯域組み合わせは各キャリアの一つの送信サブ周波数帯域を含む、段階と；
各キャリアの受信周波数帯域との間に重ならない部分がある相互変調信号干渉帯域に対応する送信サブ周波数帯域組み合わせを見出す段階と；
見出された送信サブ周波数帯域組み合わせから、あるポリシーの要求を満たす目標送信サブ周波数帯域組み合わせを選択する段階と；
前記目標送信サブ周波数帯域組み合わせに従って、各キャリアの送信周波数帯域から前記送信サブ周波数帯域を選択する段階とを実行するよう構成されている、
請求項１１または１２記載の無線送信装置。
【請求項１９】
前記ポリシーは、次のポリシー：上りリンク資源利用最大化ポリシー、サービス・トラフィック要求ポリシーおよび干渉許容度ポリシーのうちの一つまたは複数を含み、ここで、
前記上りリンク資源利用最大化ポリシーは、前記目標送信サブ周波数帯域組み合わせに対応する前記相互変調信号干渉帯域と各キャリアの受信周波数帯域との間に存在する前記重ならない部分が最大化されることを要求する、または前記目標送信サブ周波数帯域組み合わせに対応する前記重ならない周波数範囲が最大化されることを要求するものであり；
前記サービス・トラフィック要求ポリシーは、前記目標送信サブ周波数帯域組み合わせにおける各キャリアの送信サブ周波数帯域が、あるサービス・トラフィック要求を満たすことを要求し；
前記干渉許容度ポリシーは、前記目標送信サブ周波数帯域組み合わせに対応する前記相互変調信号干渉帯域と各キャリアの受信周波数帯域との間に存在する前記重ならない部分が事前設定された閾値以上であることを要求する、または前記目標送信サブ周波数帯域組み合わせに対応する前記重ならない周波数範囲が事前設定された閾値以上であることを要求するものである、
請求項１８記載の無線送信装置。
【請求項２０】
少なくとも二つのキャリアを使って通信を実行する通信システムにおいて使われる無線送信装置であって、各キャリアは送信周波数帯域および受信周波数帯域を含み、当該装置は：
前記少なくとも二つのキャリアから、相互変調によって干渉を受けうる目標キャリアを決定するよう構成された決定ユニットと；
前記目標キャリアの受信周波数帯域から、前記目標キャリアについての受信サブ周波数帯域を選択するよう構成された選択ユニットとを有しており、
前記決定ユニットはさらに、各キャリアについての送信サブ周波数帯域を、前記選択された受信サブ周波数帯域に従って、前記少なくとも二つのキャリアの送信サブ周波数帯域によって生成される相互変調干渉信号によって占められる周波数範囲と前記目標キャリアの受信周波数帯域との間に重ならない部分が存在するように、決定するよう構成されており、前記重ならない部分は前記選択された受信サブ周波数帯域を含み、
当該装置はさらに、
各キャリアの前記送信サブ周波数帯域を使って下りリンク・スケジューリングを実行し、前記受信サブ周波数帯域を使って上りリンク・スケジューリングを実行するよう構成されたスケジューリング・ユニットを有する。
無線送信装置。
【請求項２１】
請求項１ないし１０のうちいずれか一項記載の方法を実行するよう構成されているプログラム。
【請求項２２】
請求項２１記載のプログラムを有するコンピュータ可読記憶媒体。
【発明の詳細な説明】
【技術分野】
【０００１】
本発明の実施形態は通信技術の分野に関し、より詳細にはスケジューリング方法および装置に関する。
【背景技術】
【０００２】
相互変調（Inter-Modulation、IM）とも称される受動相互変調（Passive  Inter-Modulation、略PIM）は受動コンポーネントによって生成される。相互変調は、二つ以上の高周波（Radio  Frequency、略RF）信号が一つの高周波導体内に共存する場合に生成される。二つ以上のRF信号が受動コンポーネントにおいて存在するとき、該コンポーネントの非線形性のため、高次高調波信号が生成される。高調波信号の組み合わせは、受動相互変調の産物である（あるいは、相互変調産物または相互変調信号と称される）。
【０００３】
無線通信システムにおいて、複数のRF信号が同じアンテナ・システムにおいて送信され、これらの信号によって生成される相互変調産物の周波数範囲（周波数の範囲）と受信周波数範囲が部分的または完全に重なるとき、受信信号に対して干渉が加えられ、信号の正しい受信に影響する。加えて、万国移動通信システム（Universal  Mobile  Telecommunications  System、UMTS）およびロングタームエボリューション（Long  Term  Evolution、略LTE）のようなブロードバンド通信技術の大規模な商業的使用では、新しい周波数帯域の導入および事業者間の共有に向けた要求が高まり、無線通信システムにおける相互変調干渉問題はますます深刻になる。
【発明の概要】
【０００４】
本発明の実施形態は、相互変調干渉によってもたらされる影響を効果的に軽減できるスケジューリング方法および装置を提供する。
【０００５】
第一の側面によれば、スケジューリング方法が提供され、少なくとも二つのキャリアを使って通信を実行する通信システムにおいて使われる。ここで、各キャリアは送信周波数帯域および受信周波数帯域を含む。本方法は：無線送信装置によって各キャリアの送信周波数帯域から、各キャリアについての送信サブ周波数帯域を選択する段階であって、少なくとも一つの送信サブ周波数帯域があり、該少なくとも一つの送信サブ周波数帯域は、該少なくとも一つの送信サブ周波数帯域が位置している送信周波数帯域の真部分集合であり、それにより、すべての送信サブ周波数帯域によって生成される相互変調干渉信号によって占められる周波数範囲と各キャリアの受信周波数帯域との間には重ならない部分が存在し、該重ならない部分は重ならない周波数範囲であり、前記相互変調干渉信号によって占められる周波数範囲は相互変調信号干渉帯域である、段階と；前記無線送信装置によって、各キャリアの前記送信サブ周波数帯域を使って下りリンク・スケジューリングを実行し、前記重ならない周波数範囲を使って上りリンク・スケジューリングを実行する段階とを含む。
【０００６】
第一の側面を参照するに、第一の側面の第一の可能な実装様式では、前記相互変調干渉信号によって占められる周波数範囲と各キャリアの受信周波数帯域との間の前記重ならない周波数範囲は、そのキャリアの受信周波数帯域の周波数範囲の全部または一部である。
【０００７】
第一の側面または第一の側面の第一の可能な実装様式を参照するに、第一の側面の第二の可能な実装様式では、リストが前記無線送信装置に記憶されている。前記リストは、複数の送信サブ周波数帯域組み合わせと、各送信サブ周波数帯域組み合わせに対応する相互変調信号干渉帯域とを含み、各キャリアの送信周波数帯域は少なくとも二つのサブ周波数範囲を含み、前記少なくとも二つのサブ周波数範囲の任意の組み合わせがそのキャリアの送信サブ周波数帯域であり、各送信サブ周波数帯域組み合わせは、各キャリアの一つの送信サブ周波数帯域を含み、無線送信装置によって各キャリアの送信周波数帯域から、各キャリアについての送信サブ周波数帯域を選択する段階は：前記リストから、ポリシーの要求を満たす目標送信サブ周波数帯域組み合わせを選択する段階であって、前記目標送信サブ周波数帯域組み合わせに対応する相互変調信号干渉帯域と各キャリアの受信周波数帯域との間には重ならない部分が存在する、段階と；各キャリアの前記送信周波数帯域から前記送信サブ周波数帯域を、前記目標送信サブ周波数帯域組み合わせに従って選択する段階とを含む。
【０００８】
第一の側面の第二の可能な実装様式を参照するに、第一の側面の第三の可能な実装様式では、ポリシーは、次のポリシーのうちの一つまたは複数を含む：上りリンク資源利用最大化ポリシー、サービス・トラフィック要求ポリシーおよび干渉許容度ポリシー。ここで、上りリンク資源利用最大化ポリシーは、目標送信サブ周波数帯域組み合わせに対応する相互変調信号干渉帯域と各キャリアの受信周波数帯域との間に存在する重ならない部分が最大化されることを要求し；サービス・トラフィック要求ポリシーは、目標送信サブ周波数帯域組み合わせにおける各キャリアの送信サブ周波数帯域があるサービス・トラフィック要求を満たすことを要求し；干渉許容度ポリシーは、目標送信サブ周波数帯域組み合わせに対応する相互変調信号干渉帯域と各キャリアの受信周波数帯域との間に存在する重ならない部分が事前設定された閾値以上であることを要求する。
【０００９】
第一の側面または第一の側面の第一の可能な実装様式を参照するに、第一の側面の第四の可能な実装様式では、無線送信装置にリストが記憶される。リストは、複数の送信サブ周波数帯域組み合わせと、各送信サブ周波数帯域組み合わせに対応する重ならない周波数範囲とを含み、各キャリアの送信周波数帯域は少なくとも二つのサブ周波数範囲を含み、前記少なくとも二つのサブ周波数範囲の任意の組み合わせはそのキャリアの送信サブ周波数帯域であり、各送信サブ周波数帯域組み合わせは各キャリアの一つの送信サブ周波数帯域を含み、無線送信装置によって各キャリアの送信周波数帯域から、各キャリアについての送信サブ周波数帯域を選択する前記段階は：前記リストから、あるポリシーの要求を満たす目標送信サブ周波数帯域組み合わせを選択し；該目標送信サブ周波数帯域組み合わせに従って、各キャリアの送信周波数帯域から前記送信サブ周波数帯域を選択することを含む。
【００１０】
第一の側面の第四の可能な実装様式を参照するに、第一の側面の第五の可能な実装様式では、ポリシーは、次のポリシーのうちの一つまたは複数を含む：上りリンク資源利用最大化ポリシー、サービス・トラフィック要求ポリシーおよび干渉許容度ポリシー。ここで、上りリンク資源利用最大化ポリシーは、目標送信サブ周波数帯域組み合わせに対応する重ならない周波数範囲が最大化されることを要求し；サービス・トラフィック要求ポリシーは、目標送信サブ周波数帯域組み合わせにおける各キャリアの送信サブ周波数帯域があるサービス・トラフィック要求を満たすことを要求し；干渉許容度ポリシーは、目標送信サブ周波数帯域組み合わせに対応する重ならない周波数範囲が事前設定された閾値以上であることを要求する。
【００１１】
第一の側面の第五の可能な実装様式を参照するに、第一の側面の第六の可能な実装様式では、各キャリアの送信周波数帯域は同じ量のサブ周波数範囲を含み、それらのサブ周波数範囲のそれぞれは同じ帯域幅をもつ。
【００１２】
第一の側面または第一の側面の第一の可能な実装様式を参照するに、第一の側面の第七の可能な実装様式では、各キャリアの送信周波数帯域は少なくとも二つのサブ周波数範囲を含み；各キャリアについて、前記少なくとも二つのサブ周波数範囲の任意の組み合わせはそのキャリアの送信サブ周波数帯域であり；無線送信装置によって各キャリアの送信周波数帯域から、そのキャリアについての送信サブ周波数帯域を選択する前記段階は：すべての送信サブ周波数帯域組み合わせをたどり、各送信サブ周波数帯域組み合わせに対応する相互変調信号干渉帯域を決定する段階であって、各送信サブ周波数帯域組み合わせは各キャリアの一つの送信サブ周波数帯域を含む、段階と；各キャリアの受信周波数帯域との間に重ならない部分がある相互変調信号干渉帯域に対応する送信サブ周波数帯域組み合わせを見出す段階と；見出された送信サブ周波数帯域組み合わせから、あるポリシーの要求を満たす目標送信サブ周波数帯域組み合わせを選択する段階と；該目標送信サブ周波数帯域組み合わせに従って、各キャリアの送信周波数帯域から前記送信サブ周波数帯域を選択する段階とを含む。
【００１３】
第一の側面の第七の可能な実装様式を参照するに、第一の側面の第八の可能な実装様式では、ポリシーは、次のポリシーのうちの一つまたは複数を含む：上りリンク資源利用最大化ポリシー、サービス・トラフィック要求ポリシーおよび干渉許容度ポリシー。ここで、上りリンク資源利用最大化ポリシーは、目標送信サブ周波数帯域組み合わせに対応する相互変調信号干渉帯域と各キャリアの受信周波数帯域との間に存在する重ならない部分が最大化されることを要求する、または目標送信サブ周波数帯域組み合わせに対応する重ならない周波数範囲が最大化されることを要求し；サービス・トラフィック要求ポリシーは、目標送信サブ周波数帯域組み合わせにおける各キャリアの送信サブ周波数帯域があるサービス・トラフィック要求を満たすことを要求し；干渉許容度ポリシーは、目標送信サブ周波数帯域組み合わせに対応する相互変調信号干渉帯域と各キャリアの受信周波数帯域との間に存在する重ならない部分が事前設定された閾値以上であることを要求する、または目標送信サブ周波数帯域組み合わせに対応する重ならない周波数範囲が事前設定された閾値以上であることを要求する。
【００１４】
第二の側面によれば、スケジューリング方法が提供され、少なくとも二つのキャリアを使って通信を実行する通信システムにおいて使われる。ここで、各キャリアは送信周波数帯域および受信周波数帯域を含む。本方法は：無線送信装置によって前記少なくとも二つのキャリアから、相互変調によって干渉を受けうる目標キャリアを判別し；無線送信装置によって、前記目標キャリアの受信周波数帯域から、前記目標キャリアについての受信サブ周波数帯域を選択し；無線送信装置によって、各キャリアについての送信サブ周波数帯域を、選択された受信サブ周波数帯域に従って、前記少なくとも二つのキャリアの送信サブ周波数帯域によって生成される相互変調干渉信号によって占められる周波数範囲と前記目標キャリアの受信周波数帯域との間に重ならない部分が存在するように、決定する段階であって、前記重ならない部分は前記選択された受信サブ周波数帯域を含む、段階を実行し；無線送信装置によって、各キャリアの前記送信サブ周波数帯域を使って下りリンク・スケジューリングを実行し、前記受信サブ周波数帯域を使って上りリンク・スケジューリングを実行することを含む。
【００１５】
第二の側面を参照するに、第二の側面の第一の可能な実装様式では、リストが前記無線送信装置に記憶されている。前記リストは、複数の送信サブ周波数帯域組み合わせと、各送信サブ周波数帯域組み合わせに対応する相互変調信号干渉帯域とを含み、各キャリアの送信周波数帯域は少なくとも二つのサブ周波数範囲を含み、前記少なくとも二つのサブ周波数範囲の任意の組み合わせがそのキャリアの送信サブ周波数帯域であり、各送信サブ周波数帯域組み合わせは、各キャリアの一つの送信サブ周波数帯域を含み、無線送信装置によって、前記目標キャリアの受信周波数帯域から、前記目標キャリアについての受信サブ周波数帯域を選択することは：前記リストから、ポリシーの要求を満たす目標相互変調信号干渉帯域を選択する段階であって、選択される目標相互変調信号干渉帯域と目標キャリアの受信周波数帯域との間には重ならない部分が存在する、段階と；選択された目標相互変調信号干渉帯域と目標キャリアの受信周波数帯域との間に存在する前記重ならない部分を、その目標キャリアについて選択された受信サブ周波数帯域として使う段階とを含む。
【００１６】
第二の側面の第一の可能な実装様式を参照するに、第二の側面の第二の可能な実装様式では、ポリシーは、次のポリシーのうちの一つまたは複数を含む：上りリンク資源利用最大化ポリシー、サービス・トラフィック要求ポリシーおよび干渉許容度ポリシー。ここで、上りリンク資源利用最大化ポリシーは、目標相互変調信号干渉帯域と目標キャリアの受信周波数帯域との間に存在する重ならない部分が最大化されることを要求し；サービス・トラフィック要求ポリシーは、目標相互変調信号干渉帯域に対応する送信サブ周波数帯域組み合わせにおける各キャリアの送信サブ周波数帯域があるサービス・トラフィック要求を満たすことを要求し；干渉許容度ポリシーは、目標相互変調信号干渉帯域と目標キャリアの受信周波数帯域との間に存在する重ならない部分が事前設定された閾値以上であることを要求する。
【００１７】
第二の側面を参照するに、第二の側面の第三の可能な実装様式では、無線送信装置にリストが記憶される。リストは、複数の送信サブ周波数帯域組み合わせと、各送信サブ周波数帯域組み合わせに対応する重ならない周波数範囲とを含み、各キャリアの送信周波数帯域は少なくとも二つのサブ周波数範囲を含み、前記少なくとも二つのサブ周波数範囲の任意の組み合わせはそのキャリアの送信サブ周波数帯域であり、各送信サブ周波数帯域組み合わせは各キャリアの一つの送信サブ周波数帯域を含み、無線送信装置によって目標キャリアの受信周波数帯域から、目標キャリアについての受信サブ周波数帯域を選択することは：前記リストから、あるポリシーの要求を満たす目標の重ならない周波数範囲を選択し；選択された、目標の重ならない周波数範囲を、目標キャリアについて選択された受信サブ周波数帯域として使うことを含む。
【００１８】
第二の側面の第三の可能な実装様式を参照するに、第二の側面の第四の可能な実装様式では、ポリシーは、次のポリシーのうちの一つまたは複数を含む：上りリンク資源利用最大化ポリシー、サービス・トラフィック要求ポリシーおよび干渉許容度ポリシー。ここで、上りリンク資源利用最大化ポリシーは、目標の重ならない周波数範囲が最大化されることを要求し；サービス・トラフィック要求ポリシーは、目標の重ならない周波数範囲に対応する送信サブ周波数帯域組み合わせにおける各キャリアの送信サブ周波数帯域があるサービス・トラフィック要求を満たすことを要求し；干渉許容度ポリシーは、目標の重ならない周波数範囲が事前設定された閾値以上であることを要求する。
【００１９】
第二の側面の第一ないし第四の可能な実装様式を参照するに、第二の側面の第五の可能な実装様式では、各キャリアの送信周波数帯域は同じ量のサブ周波数範囲を含み、それらのサブ周波数範囲のそれぞれは同じ帯域幅をもつ。
【００２０】
第二の側面を参照するに、第二の側面の第六の可能な実装様式では、各キャリアの送信周波数帯域は少なくとも二つのサブ周波数範囲を含み；各キャリアについて、前記少なくとも二つのサブ周波数範囲の任意の組み合わせはそのキャリアの送信サブ周波数帯域であり；本方法はさらに：すべての送信サブ周波数帯域組み合わせをたどり、各送信サブ周波数帯域組み合わせに対応する相互変調信号干渉帯域を決定する段階であって、各送信サブ周波数帯域組み合わせは各キャリアの一つの送信サブ周波数帯域を含む、段階を含み；無線送信装置によって、前記目標キャリアの受信周波数帯域から、前記目標キャリアについての受信サブ周波数帯域を選択することは：すべての送信サブ周波数帯域組み合わせに対応する相互変調信号干渉帯域から、ポリシーの要求を満たす目標相互変調信号干渉帯域を選択する段階であって、選択される目標相互変調信号干渉帯域と目標キャリアの受信周波数帯域との間には重ならない部分が存在する、段階と；選択された目標相互変調信号干渉帯域と目標キャリアの受信周波数帯域との間に存在する前記重ならない部分を、その目標キャリアについて選択された受信サブ周波数帯域として使う段階とを含む。
【００２１】
第二の側面の第六の可能な実装様式を参照するに、第二の側面の第七の可能な実装様式では、ポリシーは、次のポリシーのうちの一つまたは複数を含む：上りリンク資源利用最大化ポリシー、サービス・トラフィック要求ポリシーおよび干渉許容度ポリシー。ここで、上りリンク資源利用最大化ポリシーは、目標相互変調信号干渉帯域と目標キャリアの受信周波数帯域との間に存在する重ならない部分が最大化されることを要求し；サービス・トラフィック要求ポリシーは、目標相互変調信号干渉帯域に対応する送信サブ周波数帯域組み合わせにおける各キャリアの送信サブ周波数帯域があるサービス・トラフィック要求を満たすことを要求し；干渉許容度ポリシーは、目標相互変調信号干渉帯域と目標キャリアの受信周波数帯域との間に存在する重ならない部分が事前設定された閾値以上であることを要求する。
【００２２】
第三の側面によれば、無線送信装置が提供され、少なくとも二つのキャリアを使って通信を実行する通信システムにおいて使われる。ここで、各キャリアは送信周波数帯域および受信周波数帯域を含む。本装置は：各キャリアの送信周波数帯域から、各キャリアについての送信サブ周波数帯域を選択するよう構成された選択ユニットであって、少なくとも一つの送信サブ周波数帯域があり、該少なくとも一つの送信サブ周波数帯域は、該少なくとも一つの送信サブ周波数帯域が位置している送信周波数帯域の真部分集合であり、それにより、すべての送信サブ周波数帯域によって生成される相互変調干渉信号によって占められる周波数範囲と各キャリアの受信周波数帯域との間には重ならない部分が存在し、該重ならない部分は重ならない周波数範囲であり、前記相互変調干渉信号によって占められる周波数範囲は相互変調信号干渉帯域である、選択ユニットと；各キャリアの前記送信サブ周波数帯域を使って下りリンク・スケジューリングを実行し、前記重ならない周波数範囲を使って上りリンク・スケジューリングを実行するよう構成されたスケジューリング・ユニットとを含む。
【００２３】
第三の側面を参照するに、第三の側面の第一の可能な実装様式では、前記相互変調干渉信号によって占められる周波数範囲と各キャリアの受信周波数帯域との間の前記重ならない周波数範囲は、そのキャリアの受信周波数帯域の周波数範囲の全部または一部である。
【００２４】
第三の側面または第三の側面の第一の可能な実装様式を参照するに、第三の側面の第二の可能な実装様式では、リストが前記無線送信装置に記憶されている。前記リストは、複数の送信サブ周波数帯域組み合わせと、各送信サブ周波数帯域組み合わせに対応する相互変調信号干渉帯域とを含み、各キャリアの送信周波数帯域は少なくとも二つのサブ周波数範囲を含み、前記少なくとも二つのサブ周波数範囲の任意の組み合わせがそのキャリアの送信サブ周波数帯域であり、各送信サブ周波数帯域組み合わせは、各キャリアの一つの送信サブ周波数帯域を含み、前記選択ユニットは具体的には：前記リストから、ポリシーの要求を満たす目標送信サブ周波数帯域組み合わせを選択する段階であって、前記目標送信サブ周波数帯域組み合わせに対応する相互変調信号干渉帯域と各キャリアの受信周波数帯域との間には重ならない部分が存在する、段階と；各キャリアの前記送信周波数帯域から前記送信サブ周波数帯域を、前記目標送信サブ周波数帯域組み合わせに従って選択する段階とを実行するよう構成される。
【００２５】
第三の側面の第二の可能な実装様式を参照するに、第三の側面の第三の可能な実装様式では、ポリシーは、次のポリシーのうちの一つまたは複数を含む：上りリンク資源利用最大化ポリシー、サービス・トラフィック要求ポリシーおよび干渉許容度ポリシー。ここで、上りリンク資源利用最大化ポリシーは、目標送信サブ周波数帯域組み合わせに対応する相互変調信号干渉帯域と各キャリアの受信周波数帯域との間に存在する重ならない部分が最大化されることを要求し；サービス・トラフィック要求ポリシーは、目標送信サブ周波数帯域組み合わせにおける各キャリアの送信サブ周波数帯域があるサービス・トラフィック要求を満たすことを要求し；干渉許容度ポリシーは、目標送信サブ周波数帯域組み合わせに対応する相互変調信号干渉帯域と各キャリアの受信周波数帯域との間に存在する重ならない部分が事前設定された閾値以上であることを要求する。
【００２６】
第三の側面または第三の側面の第一の可能な実装様式を参照するに、第三の側面の第四の可能な実装様式では、無線送信装置にリストが記憶される。リストは、複数の送信サブ周波数帯域組み合わせと、各送信サブ周波数帯域組み合わせに対応する重ならない周波数範囲とを含み、各キャリアの送信周波数帯域は少なくとも二つのサブ周波数範囲を含み、前記少なくとも二つのサブ周波数範囲の任意の組み合わせはそのキャリアの送信サブ周波数帯域であり、各送信サブ周波数帯域組み合わせは各キャリアの一つの送信サブ周波数帯域を含み、前記選択ユニットは具体的には：前記リストから、あるポリシーの要求を満たす目標送信サブ周波数帯域組み合わせを選択し；該目標送信サブ周波数帯域組み合わせに従って、各キャリアの送信周波数帯域から前記送信サブ周波数帯域を選択するよう構成される。
【００２７】
第三の側面の第四の可能な実装様式を参照するに、第三の側面の第五の可能な実装様式では、ポリシーは、次のポリシーのうちの一つまたは複数を含む：上りリンク資源利用最大化ポリシー、サービス・トラフィック要求ポリシーおよび干渉許容度ポリシー。ここで、上りリンク資源利用最大化ポリシーは、目標送信サブ周波数帯域組み合わせに対応する重ならない周波数範囲が最大化されることを要求し；サービス・トラフィック要求ポリシーは、目標送信サブ周波数帯域組み合わせにおける各キャリアの送信サブ周波数帯域があるサービス・トラフィック要求を満たすことを要求し；干渉許容度ポリシーは、目標送信サブ周波数帯域組み合わせに対応する重ならない周波数範囲が事前設定された閾値以上であることを要求する。
【００２８】
第三の側面の第二ないし第五の可能な実装様式を参照するに、第三の側面の第六の可能な実装様式では、各キャリアの送信周波数帯域は同じ量のサブ周波数範囲を含み、それらのサブ周波数範囲のそれぞれは同じ帯域幅をもつ。
【００２９】
第三の側面または第三の側面の第一の可能な実装様式を参照するに、第三の側面の第七の可能な実装様式では、各キャリアの送信周波数帯域は少なくとも二つのサブ周波数範囲を含み；各キャリアについて、前記少なくとも二つのサブ周波数範囲の任意の組み合わせはそのキャリアの送信サブ周波数帯域であり；前記選択ユニットは具体的には：すべての送信サブ周波数帯域組み合わせをたどり、各送信サブ周波数帯域組み合わせに対応する相互変調信号干渉帯域を決定する段階であって、各送信サブ周波数帯域組み合わせは各キャリアの一つの送信サブ周波数帯域を含む、段階と；各キャリアの受信周波数帯域との間に重ならない部分がある相互変調信号干渉帯域に対応する送信サブ周波数帯域組み合わせを見出す段階と；見出された送信サブ周波数帯域組み合わせから、あるポリシーの要求を満たす目標送信サブ周波数帯域組み合わせを選択する段階と；該目標送信サブ周波数帯域組み合わせに従って、各キャリアの送信周波数帯域から前記送信サブ周波数帯域を選択する段階とを実行するよう構成される。
【００３０】
第三の側面の第七の可能な実装様式を参照するに、第三の側面の第八の可能な実装様式では、ポリシーは、次のポリシーのうちの一つまたは複数を含む：上りリンク資源利用最大化ポリシー、サービス・トラフィック要求ポリシーおよび干渉許容度ポリシー。ここで、上りリンク資源利用最大化ポリシーは、目標送信サブ周波数帯域組み合わせに対応する相互変調信号干渉帯域と各キャリアの受信周波数帯域との間に存在する重ならない部分が最大化されることを要求する、または目標送信サブ周波数帯域組み合わせに対応する重ならない周波数範囲が最大化されることを要求し；サービス・トラフィック要求ポリシーは、目標送信サブ周波数帯域組み合わせにおける各キャリアの送信サブ周波数帯域があるサービス・トラフィック要求を満たすことを要求し；干渉許容度ポリシーは、目標送信サブ周波数帯域組み合わせに対応する相互変調信号干渉帯域と各キャリアの受信周波数帯域との間に存在する重ならない部分が事前設定された閾値以上であることを要求する、または目標送信サブ周波数帯域組み合わせに対応する重ならない周波数範囲が事前設定された閾値以上であることを要求する。
【００３１】
第四の側面によれば、無線送信装置が提供され、少なくとも二つのキャリアを使って通信を実行する通信システムにおいて使われる。ここで、各キャリアは送信周波数帯域および受信周波数帯域を含む。本装置は：前記少なくとも二つのキャリアから、相互変調によって干渉を受けうる目標キャリアを判別するよう構成された判別ユニットと；前記目標キャリアの受信周波数帯域から、前記目標キャリアについての受信サブ周波数帯域を選択するよう構成された選択ユニットとを含み、前記判別ユニットはさらに、各キャリアについての送信サブ周波数帯域を、選択された受信サブ周波数帯域に従って、前記少なくとも二つのキャリアの送信サブ周波数帯域によって生成される相互変調干渉信号によって占められる周波数範囲と前記目標キャリアの受信周波数帯域との間に重ならない部分が存在するように、決定するよう構成され、前記重ならない部分は前記選択された受信サブ周波数帯域を含み、本装置はさらに、各キャリアの前記送信サブ周波数帯域を使って下りリンク・スケジューリングを実行し、前記受信サブ周波数帯域を使って上りリンク・スケジューリングを実行するよう構成されたスケジューリング・ユニットを含む。
【００３２】
第四の側面を参照するに、第四の側面の第一の可能な実装様式では、リストが前記無線送信装置に記憶されている。前記リストは、複数の送信サブ周波数帯域組み合わせと、各送信サブ周波数帯域組み合わせに対応する相互変調信号干渉帯域とを含み、各キャリアの送信周波数帯域は少なくとも二つのサブ周波数範囲を含み、前記少なくとも二つのサブ周波数範囲の任意の組み合わせがそのキャリアの送信サブ周波数帯域であり、各送信サブ周波数帯域組み合わせは、各キャリアの一つの送信サブ周波数帯域を含み、前記選択ユニットは：前記リストから、ポリシーの要求を満たす目標相互変調信号干渉帯域を選択する段階であって、選択される目標相互変調信号干渉帯域と目標キャリアの受信周波数帯域との間には重ならない部分が存在する、段階と；選択された目標相互変調信号干渉帯域と目標キャリアの受信周波数帯域との間に存在する前記重ならない部分を、その目標キャリアについて選択された受信サブ周波数帯域として使う段階とを実行するよう構成される。
【００３３】
第四の側面の第一の可能な実装様式を参照するに、第四の側面の第二の可能な実装様式では、ポリシーは、次のポリシーのうちの一つまたは複数を含む：上りリンク資源利用最大化ポリシー、サービス・トラフィック要求ポリシーおよび干渉許容度ポリシー。ここで、上りリンク資源利用最大化ポリシーは、目標相互変調信号干渉帯域と目標キャリアの受信周波数帯域との間に存在する重ならない部分が最大化されることを要求し；サービス・トラフィック要求ポリシーは、目標相互変調信号干渉帯域に対応する送信サブ周波数帯域組み合わせにおける各キャリアの送信サブ周波数帯域があるサービス・トラフィック要求を満たすことを要求し；干渉許容度ポリシーは、目標相互変調信号干渉帯域と目標キャリアの受信周波数帯域との間に存在する重ならない部分が事前設定された閾値以上であることを要求する。
【００３４】
第四の側面を参照するに、第四の側面の第三の可能な実装様式では、無線送信装置にリストが記憶される。リストは、複数の送信サブ周波数帯域組み合わせと、各送信サブ周波数帯域組み合わせに対応する重ならない周波数範囲とを含み、各キャリアの送信周波数帯域は少なくとも二つのサブ周波数範囲を含み、前記少なくとも二つのサブ周波数範囲の任意の組み合わせはそのキャリアの送信サブ周波数帯域であり、各送信サブ周波数帯域組み合わせは各キャリアの一つの送信サブ周波数帯域を含み、前記選択ユニットは具体的には：前記リストから、あるポリシーの要求を満たす目標の重ならない周波数範囲を選択し；選択された、目標の重ならない周波数範囲を、目標キャリアについて選択された受信サブ周波数帯域として使うよう構成される。
【００３５】
第四の側面の第三の可能な実装様式を参照するに、第四の側面の第四の可能な実装様式では、ポリシーは、次のポリシーのうちの一つまたは複数を含む：上りリンク資源利用最大化ポリシー、サービス・トラフィック要求ポリシーおよび干渉許容度ポリシー。ここで、上りリンク資源利用最大化ポリシーは、目標の重ならない周波数範囲が最大化されることを要求し；サービス・トラフィック要求ポリシーは、目標の重ならない周波数範囲に対応する送信サブ周波数帯域組み合わせにおける各キャリアの送信サブ周波数帯域があるサービス・トラフィック要求を満たすことを要求し；干渉許容度ポリシーは、目標の重ならない周波数範囲が事前設定された閾値以上であることを要求する。
【００３６】
第四の側面の第一ないし第四の可能な実装様式を参照するに、第四の側面の第五の可能な実装様式では、各キャリアの送信周波数帯域は同じ量のサブ周波数範囲を含み、それらのサブ周波数範囲のそれぞれは同じ帯域幅をもつ。
【００３７】
第四の側面を参照するに、第四の側面の第六の可能な実装様式では、各キャリアの送信周波数帯域は少なくとも二つのサブ周波数範囲を含み；各キャリアについて、前記少なくとも二つのサブ周波数範囲の任意の組み合わせはそのキャリアの送信サブ周波数帯域であり；前記選択ユニットはさらに：すべての送信サブ周波数帯域組み合わせをたどり、各送信サブ周波数帯域組み合わせに対応する相互変調信号干渉帯域を決定するよう構成され、各送信サブ周波数帯域組み合わせは各キャリアの一つの送信サブ周波数帯域を含み；無線通信装置によって前記目標キャリアの受信周波数帯域から、前記目標キャリアについての受信サブ周波数帯域を選択することは：すべての送信サブ周波数帯域組み合わせに対応する相互変調信号干渉帯域から、ポリシーの要求を満たす目標相互変調信号干渉帯域を選択する段階であって、選択される目標相互変調信号干渉帯域と目標キャリアの受信周波数帯域との間には重ならない部分が存在する、段階と；選択された目標相互変調信号干渉帯域と目標キャリアの受信周波数帯域との間に存在する前記重ならない部分を、その目標キャリアについて選択された受信サブ周波数帯域として使う段階とを含む。
【００３８】
第四の側面の第六の可能な実装様式を参照するに、第四の側面の第七の可能な実装様式では、ポリシーは、次のポリシーのうちの一つまたは複数を含む：上りリンク資源利用最大化ポリシー、サービス・トラフィック要求ポリシーおよび干渉許容度ポリシー。ここで、上りリンク資源利用最大化ポリシーは、目標相互変調信号干渉帯域と目標キャリアの受信周波数帯域との間に存在する重ならない部分が最大化されることを要求し；サービス・トラフィック要求ポリシーは、目標相互変調信号干渉帯域に対応する送信サブ周波数帯域組み合わせにおける各キャリアの送信サブ周波数帯域があるサービス・トラフィック要求を満たすことを要求し；干渉許容度ポリシーは、目標相互変調信号干渉帯域と目標キャリアの受信周波数帯域との間に存在する重ならない部分が事前設定された閾値以上であることを要求する。
【００３９】
本発明の実施形態によれば、相互変調干渉帯域ができるだけ受信周波数帯域にはいらないよう、統合的なスケジューリングおよび周波数領域の資源ずらしの態様を提供するために、相互変調産物の特性がフルに利用される。加えて、相互変調産物による干渉を受けることが避けられない周波数帯域については、相互変調干渉問題を解決するために、スケジューリングをしない態様が使われる。相互変調干渉信号の周波数範囲は、相互変調を生成するキャリアの周波数および帯域幅が変化するにつれて変化する。よって、下りリンク・スケジューリングが実行されているとき、送信キャリアの好適な周波数および送信キャリアによって占められる好適な帯域幅が選択され、それにより、生成される相互変調干渉信号および受信周波数帯域が互い違いにされるか、または受信周波数帯域ができるだけ占有されないようになり、上りリンク・スケジューリングは該上りリンク・スケジューリングの間に前記相互変調干渉信号によって占められない周波数範囲を使って実行され、それにより、相互変調干渉問題を解決する。
【図面の簡単な説明】
【００４０】
本発明の実施形態における技術的解決策をより明瞭に記述するために、下記は、実施形態または従来技術を記述するために必要とされる付属の図面を手短かに紹介する。明らかに、以下の記述における付属の図面は単に本発明のいくつかの実施形態を示すのであって、当業者は、創造的な努力なしにこれらの付属の図面から他の図面を導出しうる。
【図１】本発明のある実施形態に基づく、相互変調干渉生成の概略図である。
【図２】本発明のある実施形態に基づく、無線通信システムの概略的なブロック図である。
【図３】狭帯域通信システムにおける相互変調を低減する方法の概略図である。
【図４】本発明のある実施形態に基づく、ある型の相互変調産物の周波数帯域の概略図である。
【図５】本発明のある実施形態に基づくスケジューリング方法の原理の概略図である。
【図６】本発明のある実施形態に基づくスケジューリング方法のフローチャートである。
【図７】本発明のある実施形態に基づく、送信サブ周波数帯域を選択するプロセスのフローチャートである。
【図８】本発明のもう一つの実施形態に基づく、送信サブ周波数帯域を選択するプロセスのフローチャートである。
【図９】本発明のある実施形態に基づく、相互変調干渉を低減するための周波数範囲の割り当ての概略図である。
【図１０】本発明のもう一つの実施形態に基づく、相互変調干渉を低減するための周波数範囲の割り当ての概略図である。
【図１１】本発明のもう一つの実施形態に基づくスケジューリング方法のフローチャートである。
【図１２】本発明のある実施形態に基づく装置の概略的なブロック図である。
【図１３】本発明のもう一つの実施形態に基づく装置の概略的なブロック図である。
【図１４】本発明のもう一つの実施形態に基づく装置の概略的なブロック図である。
【図１５】本発明のもう一つの実施形態に基づく装置の概略的なブロック図である。
【発明を実施するための形態】
【００４１】
下記は、本発明の実施形態における付属の図面を参照して本発明の実施形態における技術的解決策を明確かつ完全に記載する。明らかに、記述される実施形態は本発明の実施形態の一部であって全部ではない。本発明の実施形態に基づいて当業者によって創造的努力なしに得られる他のすべての実施形態は、本発明の保護範囲内にはいる。
【００４２】
本発明の実施形態における技術的解決策は、さまざまな通信システム、たとえばグローバル移動通信システム（Global  System  for  Mobile  Communications、GSM）、UMTSシステム、LTEシステム、LTE周波数分割複信（Frequency  Division  Duplex、FDD）システムおよびLTE時分割復信（Time  Division  Duplex、TDD）システムにおいて適用されうる。本発明はそれに限定されないことを理解しておくべきである。本発明の実施形態における技術的解決策は、高周波装置内であり、二つ以上のRF信号を使って通信を実行する任意のシステムにおいて使用されうる。
【００４３】
まず、本願における「複数」（「複数の型」）は二つ（の型）または三つ以上（の型）を指すことを注意しておくべきである。用語「および／または」は、関連する対象を記述するための関連関係を記述し、三つの関係が存在しうることを表わす。たとえば、Aおよび／またはBは、Aのみが存在する、AとBの両方が存在する、Bのみが存在するという三つの場合を表わしうる。記号「／」は一般に関連する対象の間の「または」の関係を示す。
【００４４】
記述の簡潔のため、以下の実施形態はみな、記述のための例として二つのRF信号を使う。相互変調を生成し、より多くのRF信号の相互変調干渉を解決するための技術的手段はみな、二つのRF信号のものに基づいて得られる。それらの原理および技術的な実装は同じなので、詳細は本発明の実施形態においては記述されない。
【００４５】
下記は、付属の図面を参照して、例として、二つのRF信号を使うことによる相互変調生成を記述する。図１を参照するに、図１は本発明のある実施形態に基づく相互変調生成の概略図である。図１に示されるように、二つのRF信号ω1およびω2（これらは一次高調波として理解されてもよい）が無線周波数装置において存在する。ここで、これら二つのRF信号によって生成される二次高調波は2ω1および2ω2であり、三次高調波は3ω1および3ω2であり、順次、より高次の高調波がある。高次高調波は、その影響が無視されうるので、ここでは図示していない。これらの高調波信号の組み合わせが相互変調産物であり、相互変調産物の次数は、該相互変調産物を生成する二つの母信号の周波数の整数倍数の和である。表１を参照すると、表１は、三次ないし九次の相互変調産物を与えている。ここで、F1およびF2は変数であり、たとえばそれぞれω1およびω2であってもよく、あるいはそれぞれω2およびω1であってもよい。たとえば、三次の相互変調産物は2ω1−ω2、2ω2−ω1、2ω1＋ω2および2ω2＋ω1を含む。
【００４６】
高次の相互変調産物ほど小さな振幅をもつことを注意しておくべきである。具体的実装では、三次より高い次数（三次は除く）の相互変調産物の振幅は比較的小さく、あるコンポーネントを使うことによって該相互変調産物の影響を抑えることが十分である。よって、三次より上の次数をもつ相互変調産物は無視されてもよく、本稿において再び示さなくてもよい。
【００４７】
【表１】
0006592589.tif 000002
【００４８】
本願では、受信される信号への無視できない干渉を引き起こす相互変調産物は相互変調干渉信号と称される。相互変調干渉信号によって占められる周波数範囲は相互変調信号干渉帯域と称される。
【００４９】
GSMシステムでは、受信周波数帯域および送信周波数帯域は比較的狭いので、相互変調干渉信号が上りリンク周波数に該当することを防ぐよう、好適な周波数が選択されうる。すなわち、相互変調干渉信号と受信周波数帯域は互い違いにされ、それにより相互変調干渉問題を解決する。図３に示されるように、生成される相互変調産物IM3と受信周波数帯域RXがずらされるように好適な送信周波数f1およびf2が選択され、これが相互変調干渉問題を解決できる。しかしながら、この方法はGSMのような狭帯域システムにしか適用可能でない。狭帯域システムにおいて生成される相互変調産物も狭帯域であり、干渉を受けない信号周波数帯域を見出すことは比較的容易だからである。しかしながら、通信技術がブロードバンドに向けて発達すると、たとえばUMTSの帯域幅は5MHzであり、LTEにおける最大帯域幅は20MHzであり、ここでは送信周波数帯域および受信周波数帯域はいずれも比較的広く、相互変調産物の周波数範囲も非常に広く、このためこの態様は適用不能である。
【００５０】
図４を参照するに、図４は、本発明のある実施形態に基づくある型の相互変調産物の周波数帯域の概略図である。図４に示されるように、二つのキャリアが例として使われる。これら二つのキャリアの間の間隔はFoffsetであり、これら二つのキャリアの帯域幅はそれぞれBW1およびBW2である。これら二つのキャリアの送信周波数帯域の開始周波数はそれぞれf1およびf2であり、f2＝f1＋Foffsetである。受信周波数帯域の開始周波数はそれぞれf3およびf4であり、f4＝f3＋Foffsetである。三次の相互変調産物の周波数範囲の端点における周波数はそれぞれF1、F2、F3、F4であり、
F1＝2*f1−(f2＋BW2)＝2*f1−(f1＋Foffset＋BW2)＝f1−Foffset−BW2  (1)
F2＝2*(f1＋BW1)−f2＝2*f1＋2*BW1−(f1＋Foffset)＝f1−Foffset＋2*BW1  (2)
F3＝2*f2−(f1＋BW1)＝2*(f1＋Foffset)−(f1＋BW1)＝f1＋2*Foffset−BW1  (3)
F4＝2*(f2＋BW2)−f1＝2*(f1＋Foffset＋BW2)−f1＝f1＋2*Foffset ＋ 2*BW2  (4)
となる。
【００５１】
上記の公式から、相互変調産物の帯域幅は、相互変調を生成するもとの帯域幅に比例する、すなわち相互変調を生成するキャリアの帯域幅（BW1およびBW2）に比例することがわかる。該相互変調産物が受信周波数帯域に該当することは非常にたやすい。たとえば、相互変調産物の周波数範囲F1−F2は受信周波数帯域R2に当たり、受信信号に干渉を引き起こす。GSMシステムのための周波数選択解決策は、ブロードバンド・システムにおける相互変調干渉問題を解決するためにブロードバンド・システムに適用可能ではないことがわかる。
【００５２】
本発明のある実施形態によれば、相互変調干渉帯域ができるだけ受信周波数帯域にはいらないよう、統合的なスケジューリングおよび周波数領域の資源ずらしの態様を提供するために、相互変調産物の特性がフルに利用される。加えて、相互変調産物による干渉を受けることが避けられない周波数帯域については、相互変調干渉問題を解決するために、スケジューリングをしない態様が使われる。相互変調干渉信号の周波数範囲は、相互変調を生成するキャリアの周波数および帯域幅が変化するにつれて変化する。よって、下りリンク・スケジューリングが実行されているとき、送信キャリアの好適な周波数および送信キャリアによって占められる好適な帯域幅が選択され、それにより、生成される相互変調干渉信号および受信周波数帯域がずらされるか、または受信周波数帯域ができるだけ占有されないようになり、上りリンク・スケジューリングは該上りリンク・スケジューリングの間に前記相互変調干渉信号によって占められない周波数範囲を使って実行され、それにより、相互変調干渉問題を解決する。
【００５３】
下記は、付属の図面を参照して、上記の技術的解決策を記述する。
【００５４】
図５および図６を参照するに、図５は、本発明のある実施形態に基づくスケジューリング方法の原理の概略図であり、図６は、本発明のある実施形態に基づくスケジューリング方法のフローチャートである。このスケジューリング方法は無線送信装置によって実行され、少なくとも二つのキャリアを使って通信を実行する通信システムにおいて使われる。ここで、各キャリアは送信周波数帯域および受信周波数帯域を含む。無線送信装置は無線周波信号を送信することのできる装置であること、基地局の無線周波部、無線アクセスポイントまたは無線リモート・ユニット（Radio  Remote  Unit、RRU）であってもよいこと、本発明はそれに限定されないことを理解しておくべきである。本稿での基地局とは、端末を無線ネットワークに接続する装置を指し、さまざまな通信規格における基地局、たとえば進化型ノードB（evolved  Node  B、eNB）、無線ネットワーク・コントローラ（radio  network  controller、RNC）、ノードB（ノードB、NB）、基地局コントローラ（Base  Station  Controller、BSC）、ベース・トランシーバー・ステーション（Base  Transceiver  Station、BTS）または家庭基地局（たとえば、Home  evolved  Node  BまたはHome  Node  B、HNB）を含む。さらに、各キャリアが一つの送信周波数帯域に対応する、または各キャリアが一つの周波数における一つの送信帯域幅を占めること；加えて、各キャリアが一つの受信周波数帯域に対応する、または各キャリアが一つの周波数における一つの受信帯域幅を占めること；任意の二つのキャリアの間の送信周波数帯域は重なり合わないこと；任意の二つのキャリアの間の受信周波数帯域も重なり合わないことを理解しておくべきである。加えて、送信周波数帯域および受信周波数帯域は対で現われる。送信周波数帯域が決定されるとき、受信周波数帯域も決定される。
【００５５】
図５に示されるように、二つのキャリアC1およびC2が例として使われる。キャリアC1の下りリンク送信周波数帯域５１０およびキャリアC2の下りリンク送信周波数帯域５２０によって生成される相互変調干渉信号５５１は、キャリアC1の上りリンク受信周波数帯域５３０に干渉を引き起こす。本発明のこの実施形態では、サブ周波数範囲５１１および５２１がそれぞれキャリアC1の下りリンク送信周波数帯域５１０およびキャリアC2の下りリンク送信周波数帯域５２０から、生成される相互変調干渉信号５５２とキャリアC1の上りリンク受信周波数帯域５３０との間に重ならない部分が存在するように、たとえば生成される相互変調干渉信号５５２がキャリアC1の上りリンク受信周波数帯域５３０を占めないよう、あるいはキャリアC1の上りリンク受信周波数帯域５３０のできるだけ少しを占めるように、選択される。次いで、キャリアC1の上りリンク上でスケジューリングが実行されるとき、重ならない部分が該上りリンク・スケジューリングを実行するために使われる。このようにして、相互変調干渉信号の周波数の範囲は、端末によって実際に使われる周波数の範囲に重ならず、そのことが相互変調干渉問題を解決する。
【００５６】
図６に示されるように、本スケジューリング方法は下記の段階を含む。
【００５７】
Ｓ６１０。無線送信装置は、各キャリアの送信周波数帯域から、各キャリアについての送信サブ周波数帯域を選択する。ここで、少なくとも一つの送信サブ周波数帯域があり、該少なくとも一つの送信サブ周波数帯域は、該少なくとも一つの送信サブ周波数帯域が位置している送信周波数帯域の真部分集合であり、それにより、すべての送信サブ周波数帯域によって生成される相互変調干渉信号によって占められる周波数範囲と各キャリアの受信周波数帯域との間には重ならない部分が存在し、該重ならない部分は重ならない周波数範囲であり、前記相互変調干渉信号によって占められる周波数範囲は相互変調信号干渉帯域である。
【００５８】
Ｓ６２０。無線送信装置は、各キャリアの前記送信サブ周波数帯域を使って下りリンク・スケジューリングを実行し、前記重ならない周波数範囲を使って上りリンク・スケジューリングを実行する。
【００５９】
相互変調干渉信号の周波数範囲は、相互変調を生成するキャリアの周波数および帯域幅が変化するにつれて変化するので、下りリンク・スケジューリングを実行するとき、無線送信装置は、各キャリアの送信周波数帯域から、好適な送信周波数および好適な占有される帯域幅、つまり送信サブ周波数帯域を選択し、ここで、少なくとも一つのキャリアであってその送信サブ周波数帯域が送信周波数帯域全体をフルに占有しないキャリアがあり、それにより、これらのキャリアの送信サブ周波数帯域によって生成される相互変調干渉信号によって占められる周波数範囲と各キャリアの受信周波数帯域との間には重ならない部分が存在することがわかる。このようにして、該重ならない部分が、上りリンク・スケジューリングを実行するために使用されてもよく、それにより相互変調干渉問題を解決する。
【００６０】
加えて、本発明のこの実施形態は、ソフトウェア・システムの物理層の資源スケジューリング・モジュールに関わるだけであり、相互変調干渉問題は、コンポーネントを交換したり、あるいはアンテナ・システムを再構成したりする必要なしに、改善のためにソフトウェアのみが使われる解決策を使うことによって解決できる。よって、コストは比較的低く、効果は明白である。
【００６１】
この実施形態では、相互変調干渉信号が上りリンク信号に干渉を引き起こす問題が、下りリンク送信資源を減らすことによって解決されていることがわかる。加えて、相互変調干渉信号の周波数範囲は相互変調を生成するキャリアの帯域幅が増すにつれて拡大するので、より短い送信サブ周波数範囲が選択されるときは、相互変調干渉信号の周波数範囲はより短く、より多くの上りリンク資源が利用可能であるが、下りリンク資源の利用率はより低くなる。よって、具体的実装では、下りリンク資源の利用率と上りリンク資源の利用率とのバランスを取るために、各キャリアのサービス・トラフィック状況が考慮に入れられてもよい。
【００６２】
任意的に、本発明のある実施形態として、前記相互変調干渉信号によって占められる周波数範囲と各キャリアの受信周波数帯域との間の前記重ならない周波数範囲は、そのキャリアの受信周波数帯域の周波数範囲の全部または一部である。すなわち、前記相互変調干渉信号によって占められる周波数範囲と各キャリアの受信周波数帯域との間の前記重ならない周波数範囲は、受信周波数帯域の周波数範囲の全部であってもよく、または受信周波数帯域の一部であってもよい。すなわち、前記相互変調干渉信号と受信周波数帯域はずれていてもよく、あるいは前記相互変調干渉信号は受信周波数帯域の一部を占めていてもよい。好ましくは、ずらすことが不可能であるときは、受信周波数帯域はできるだけ少なく占有される。このようにして、より多くの上りリンク資源が利用可能になりうる。
【００６３】
本発明のこの実施形態によれば、相互変調干渉帯域ができるだけ受信周波数帯域にはいらないよう、統合的なスケジューリングおよび周波数領域の資源ずらしの態様を提供するために、相互変調産物の特性がフルに利用される。加えて、相互変調産物による干渉を受けることが避けられない周波数帯域については、相互変調干渉問題を解決するために、スケジューリングをしない態様が使われる。相互変調干渉信号の周波数範囲は、相互変調を生成するキャリアの周波数および帯域幅が変化するにつれて変化する。よって、下りリンク・スケジューリングが実行されているとき、送信キャリアの好適な周波数および送信キャリアによって占められる好適な帯域幅が選択され、それにより、生成される相互変調干渉信号および受信周波数帯域がずらされるか、または受信周波数帯域ができるだけ少なく占有されるようになり、上りリンク・スケジューリングは該上りリンク・スケジューリングの間に前記相互変調干渉信号によって占められない周波数範囲を使って実行され、それにより、相互変調干渉問題を解決する。
【００６４】
各キャリアについて、送信サブ周波数帯域は次の方法を使って選択されてもよい：キャリアの送信周波数帯域を前もってN個のサブ周波数範囲に分割し、ここで、Nは2以上の正の整数であり、これらのサブ周波数範囲の任意の組み合わせがキャリアの送信サブ周波数帯域をなす。N個のサブ周波数範囲の組み合わせ状況は次のとおり：N個のサブ周波数範囲のうちから任意に選択されたM個のサブ周波数範囲によって形成される、合計c(N,M)＝N!/((N−M)!*M!)通りの組み合わせがある。ここで、MはN以下の正の整数であり、!は階乗を表わす。Mのすべての可能な値によって形成されるすべての組み合わせが、N個のサブ周波数範囲のすべての組み合わせである。各キャリアについて一つの組み合わせが選択されてもよく、すべてのキャリアの組み合わせがさらに組み合わされてもよく、それぞれの型の組み合わせが一つの送信サブ周波数帯域組み合わせである。各送信サブ周波数帯域組み合わせによって生成される相互変調干渉信号が前もって計算によって得られてもよく、それにより、各送信サブ周波数帯域組み合わせの相互変調信号干渉帯域はあらかじめ決定されることができ、このようにして、各送信サブ周波数帯域組み合わせの相互変調信号干渉帯域に従って一つの送信サブ周波数帯域組み合わせが選択されてもよく、それにより、相互変調信号干渉帯域と受信周波数帯域とがずらされる、あるいは相互変調信号干渉帯域と受信周波数帯域との間に重ならない部分が存在するようにされる。加えて、各送信サブ周波数帯域組み合わせによって生成される相互変調干渉信号が前もって計算されてよく、それにより、各送信サブ周波数帯域組み合わせの重ならない周波数範囲があらかじめ決定されてもよく、このようにして、各送信サブ周波数帯域組み合わせの重ならない周波数範囲に従って、一つの送信サブ周波数帯域組み合わせが選択されてもよい。
【００６５】
上記の方法は、ソフトウェアの形で無線送信装置にセットされてもよい。それにより、無線送信装置は一つの送信サブ周波数帯域組み合わせを選択する、つまり、各キャリアについての送信サブ周波数帯域を選択する。加えて、代替的に、各送信サブ周波数帯域組み合わせおよびその対応する相互変調信号干渉帯域または重ならない周波数範囲は、リストの形で前もって無線送信装置に記憶されていてもよい。ここで、該リストは、相互変調信号干渉帯域リストまたは重ならない周波数範囲リストと称される。これにより、無線送信装置は、該リストに従って、好適な送信サブ周波数帯域組み合わせを選択する、つまり、各キャリアについての送信サブ周波数帯域を選択する。すなわち、本発明のある実施形態では、リストが無線送信装置に記憶されており、リストは、相互変調信号干渉帯域リストまたは重ならない周波数範囲リストであり、相互変調信号干渉帯域リストは、複数の送信サブ周波数帯域組み合わせと、各送信サブ周波数帯域組み合わせに対応する相互変調信号干渉帯域とを含み、重ならない周波数範囲リストは、複数の送信サブ周波数帯域組み合わせと、各送信サブ周波数帯域組み合わせに対応する相互変調信号干渉帯域とを含む。各キャリアの送信周波数帯域は少なくとも二つのサブ周波数範囲を含み、これらのサブ周波数範囲の任意の組み合わせがそのキャリアの送信サブ周波数帯域をなし、各送信サブ周波数帯域組み合わせは、各キャリアの一つの送信サブ周波数帯域を含む。この場合、上記の段階Ｓ６１０、すなわち無線送信装置が各キャリアの送信周波数帯域から、各キャリアについての送信サブ周波数帯域を選択するプロセスは、図７に示される段階を含む。
【００６６】
Ｓ７１０。前記リストを探索して、前記リストから、ポリシーの要求を満たす目標送信サブ周波数帯域組み合わせを選択する。ここで、前記リストは相互変調信号干渉帯域リストであり、前記目標送信サブ周波数帯域組み合わせに対応する相互変調信号干渉帯域と各キャリアの受信周波数帯域との間には重ならない部分が存在する。
【００６７】
Ｓ７２０。各キャリアの前記送信周波数帯域から送信サブ周波数帯域を、選択された目標送信サブ周波数帯域組み合わせに従って選択する。
【００６８】
前記リストが無線送信装置に事前に記憶されているとき、送信サブ周波数帯域の選択の際には、目標送信サブ周波数帯域組み合わせはテーブル検索によって直接見出すことができ、次いで、該目標送信サブ周波数帯域組み合わせに従って送信サブ周波数帯域が選択される。つまり、送信サブ周波数帯域組み合わせが、下りリンク信号の送信を実行するために選択される。このようにして、無線送信装置の動作の複雑さが単純化されることができ、実装コストが低減されることができる。
【００６９】
目標送信サブ周波数帯域を選択するためのポリシーは、必要に応じて設定されうる。たとえば、サービス要求などに従って、サービス要求のために最も好適な送信サブ周波数帯域組み合わせが選択されてもよく；あるいは、最高の上りリンク資源利用率をもつ送信サブ周波数帯域組み合わせが選択されてもよく；あるいは、最高の下りリンク資源利用率をもつ送信サブ周波数帯域組み合わせが選択されてもよい。たとえば、複数の送信サブ周波数帯域組み合わせに対応する相互変調信号干渉帯域と各キャリアの受信周波数帯域との間に重ならない部分が存在するとき、あるいは重ならない周波数範囲をもつ複数の送信サブ周波数帯域組み合わせが存在するとき、最も大きな重ならない部分をもつ相互変調信号干渉帯域に対応する送信サブ周波数帯域組み合わせまたは最も大きな重ならない周波数範囲に対応する送信サブ周波数帯域組み合わせが、目標送信サブ周波数帯域組み合わせとして選択され；このようにして、最大の上りリンク資源利用が達成できる。もう一つの例として、複数の送信サブ周波数帯域組み合わせに対応する相互変調信号干渉帯域と各キャリアの受信周波数帯域との間に重ならない部分が存在するとき、あるいは重ならない周波数範囲をもつ複数の送信サブ周波数帯域組み合わせが存在するとき、サービス・トラフィック要求に従って、目標送信サブ周波数帯域組み合わせが選択され；このようにして、送信サブ周波数帯域の選択は現在のサービス要求のために最も好適になる。さらにもう一つの例として、複数の送信サブ周波数帯域組み合わせに対応する相互変調信号干渉帯域と各キャリアの受信周波数帯域との間に重ならない部分が存在するとき、あるいは重ならない周波数範囲をもつ複数の送信サブ周波数帯域組み合わせが存在するとき、干渉許容度に従って目標送信サブ周波数帯域組み合わせが選択され；このようにして、送信サブ周波数帯域の選択は干渉許容度要求を満たすことができる。具体的には、ポリシーは、必要に応じて選択されうるが、本願を限定するために使われない。
【００７０】
加えて、一つのポリシーを満たす二つ以上の送信サブ周波数帯域組み合わせがあることがある。よって、最適な送信サブ周波数帯域組み合わせを選択するために、これらのポリシーの組み合わせが使われてもよい。すなわち、目標送信サブ周波数帯域を選択するためのポリシーは、次のポリシーのうちの一つまたは複数を含んでいてもよい：上りリンク資源利用最大化ポリシー、サービス・トラフィック要求ポリシーおよび干渉許容度ポリシー。上りリンク資源利用最大化ポリシーは、目標送信サブ周波数帯域組み合わせに対応する相互変調信号干渉帯域と各キャリアの受信周波数帯域との間に存在する重ならない部分が最大化されることを要求するか、目標送信サブ周波数帯域組み合わせに対応する重ならない周波数範囲が最大化されることを要求する。サービス・トラフィック要求ポリシーは、目標送信サブ周波数帯域組み合わせにおける各キャリアの送信サブ周波数帯域があるサービス・トラフィック要求を満たすことを要求する。干渉許容度ポリシーは、目標送信サブ周波数帯域組み合わせに対応する相互変調信号干渉帯域と各キャリアの受信周波数帯域との間に存在する重ならない部分が事前設定された閾値以上であることを要求するか、目標送信サブ周波数帯域組み合わせに対応する重ならない周波数範囲が事前設定された閾値以上であることを要求する。
【００７１】
たとえば、無線送信装置は、キャリアC1およびキャリアC2を使って通信を実行する。ここで、キャリアC1はより多くの下りリンク・サービス・トラフィックを搬送し、C2はより少ない下りリンク・サービス・トラフィックを搬送する。この場合、重ならない周波数範囲をもつすべての送信サブ周波数帯域組み合わせから、下りリンク・サービス・トラフィック要求を満たすためにC1の送信サブ周波数帯域ができるだけ多く送信周波数帯域を占めるよう、目標送信サブ周波数帯域組み合わせが選択されてもよい。たしかに、重ならない周波数範囲は、同時に上りリンク・サービス・トラフィック要求をも満たす必要がある。もう一つの例として、C1およびC2の下りリンク・サービス・トラフィックが小さいとき、下りリンク・サービス要求が満たされる場合、最大の上りリンク資源利用を達成するよう、最大の重ならない周波数範囲をもつ送信サブ周波数帯域組み合わせが選択されてもよい。
【００７２】
もう一つの例として、目標送信サブ周波数帯域組み合わせは、干渉許容度に従って決定されてもよい。干渉許容度は、受信周波数帯域の、相互変調信号干渉帯域によって占められる認容できる最大帯域幅または認容できる最小の重ならない周波数範囲である。たとえば、無線送信装置はキャリアC1およびキャリアC2を使って通信を実行する；干渉許容度は受信周波数帯域の、相互変調信号干渉帯域によって占められる認容できる最大の帯域幅Qであり、Q1は送信サブ周波数帯域組み合わせによって生成される相互変調信号干渉帯域とキャリアC1の受信周波数帯域との間の重なり合う部分であるとする。重なり合う部分Q1がキャリアC1の受信周波数帯域の干渉許容度Qを超える、すなわちQ1＞Qであるとすると、この場合、送信サブ周波数帯域組み合わせによって生成される相互変調干渉は、キャリアC1の受信周波数帯域に対して比較的深刻な干渉を引き起こし、キャリアC1の干渉許容度を満たさず、別の送信サブ周波数帯域組み合わせが選択される必要がある。干渉許容度が認容できる最小の重ならない周波数範囲Sであり；送信サブ周波数帯域組み合わせによって生成される相互変調信号干渉とキャリアC1の受信周波数帯域との間の重ならない部分、すなわち前記重ならない周波数範囲がS1であるとする。重ならない周波数範囲S1がキャリアC1の受信周波数帯域の干渉許容度S以下である、すなわちS1＜Sである場合には、この場合、送信サブ周波数帯域組み合わせによって生成される相互変調干渉は、キャリアC1の受信周波数帯域に対して比較的深刻な干渉を引き起こし、キャリアC1の干渉許容度を満たさず、別の送信サブ周波数帯域組み合わせが選択される必要がある。重なり合う部分Q1または重ならない周波数範囲S1が干渉許容度に等しい場合については、その送信サブ周波数帯域組み合わせは、選択されても選択されなくてもよく、ここでは制限は課されない。干渉許容度は、受信周波数帯域が受ける最大の相互変調干渉を測ることのできる別のメトリック・パラメータであってもよく、本発明がそれに限定されないことは理解しておくべきである。
【００７３】
送信サブ周波数帯域組み合わせを選択するための上記のさまざまなポリシーは、別個にまたは組み合わせて使用されてもよい。組み合わせで使われるとき、これらのポリシーは必要に応じて任意に組み合わされうる。たとえば、干渉許容度を満たす複数の送信サブ周波数帯域組み合わせから、最大の重ならない周波数範囲をもつ送信サブ周波数帯域組み合わせが選択されてもよく；あるいは、干渉許容度を満たす複数の送信サブ周波数帯域組み合わせから、あるサービス・トラフィック要求を満たす送信サブ周波数帯域組み合わせが選択されてもよく；あるいは、あるサービス・トラフィック要求を満たす複数の送信サブ周波数帯域組み合わせから、最大の重ならない周波数範囲をもつ送信サブ周波数帯域組み合わせが選択されてもよく；あるいは、干渉許容度およびサービス・トラフィック要求を満たす複数の送信サブ周波数帯域組み合わせから、最大の重ならない周波数範囲をもつ送信サブ周波数帯域組み合わせが選択されてもよい。
【００７４】
前記リストの定式化の際に、すべての送信サブ周波数帯域組み合わせがリストにおいて設定されてもよく、あるいは重ならない周波数範囲をもつ送信サブ周波数帯域組み合わせのみが設定されてもよいことを注意しておくべきである。すなわち、前記リストは、すべての可能な送信サブ周波数帯域組み合わせを含んでいてもよく、あるいは重ならない周波数範囲をもついくつかの送信サブ周波数帯域組み合わせのみを含んでいてもよい。
【００７５】
加えて、各キャリアは、均等な分割または不均等な分割の形で、複数のサブ周波数範囲に分割されてもよく、少なくとも一つのサブ周波数範囲が、各キャリアから任意に、別のキャリアにおける少なくとも一つの任意のサブ周波数範囲と組み合わされるために、選択される。そのような組み合わせの後、複数の送信サブ周波数帯域組み合わせが得られてもよく、ここで、各送信サブ周波数帯域組み合わせは、対応する相互変調信号干渉帯域を生成し、各送信サブ周波数帯域組み合わせは、その対応する相互変調信号干渉帯域または重ならない周波数範囲と関連付けられ、リストに格納され、それにより、無線送信装置は該リストに従って、送信サブ周波数帯域の選択を実行する。加えて、これらのキャリアのサブ周波数範囲の量は同じであってもよく、あるいは異なっていてもよい。すなわち、各キャリアの送信周波数帯域は同じ量のサブ周波数範囲に分割されるか、異なる量のサブ周波数範囲に分割される。ここでは制限は課されない。
【００７６】
任意的に、処理を単純化するために、本発明のある実施形態として、各キャリアの送信周波数帯域は同じ量のサブ周波数範囲を含み、それらのサブ周波数範囲のそれぞれは同じ帯域幅をもつ。たとえば、複数のキャリアのそれぞれは同じ粒度をもつN個のサブ周波数範囲に分割されてもよく、ここで、Nは1より大きい整数である。
【００７７】
具体的には、複数のキャリアの各キャリアに対応する送信周波数帯域が、同じ粒度に従ってN個の周波数範囲に分割される。粒度が小さいほど、選択のために利用可能な送信サブ周波数帯域組み合わせが多くなり、ポリシーの要求を満たす送信サブ周波数帯域組み合わせを見出すことが容易になる。しかしながら、より多くの組み合わせは、より高い計算量を示す。よって、具体的実装では、粒度は必要に応じて選択されうる。キャリアの送信周波数帯域はたとえば、資源ブロック（Resource  Block、略RB）を最小粒度として使うことによって分割されてもよく、あるいは別の粒度に従って分割されてもよい。本発明はそれに限定されない。各キャリアに対応するN個のサブ周波数範囲は、他のすべてのキャリアに対応する複数のサブ周波数範囲と種々の組み合わせに組み合わされて、相互変調干渉を低減できる周波数領域資源の組み合わせを見出すためにそれら種々の組み合わせを見ていき、ローカルなポリシーまたは実際の要求に従って、目標送信サブ周波数帯域が決定される。
【００７８】
リストの形で実装されることに加えて、前記方法は、無線送信装置において直接実装されることもできる。この場合、無線送信装置が各キャリアの送信周波数帯域からそのキャリアのための送信サブ周波数帯域を選択するプロセスは、図８に示される段階を含む。
【００７９】
Ｓ８１０。すべての送信サブ周波数帯域組み合わせを調べて、各送信サブ周波数帯域組み合わせに対応する相互変調信号干渉帯域を判別する。
【００８０】
Ｓ８２０。各キャリアの受信周波数帯域との間に重ならない部分が存在する相互変調信号干渉帯域に対応する送信サブ周波数帯域組み合わせを見出す。
【００８１】
Ｓ８３０。見出された送信サブ周波数帯域組み合わせから、ポリシーの要求を満たす目標送信サブ周波数帯域組み合わせを選択する。
【００８２】
Ｓ８４０。目標送信サブ周波数帯域組み合わせに従って、各キャリアの送信周波数帯域から送信サブ周波数帯域を選択する。
【００８３】
送信サブ周波数帯域組み合わせおよびポリシーについての意味は、上記の実施形態と同じであり、ここで詳細を繰り返すことはしない。
【００８４】
本発明のこの実施形態によれば、相互変調干渉帯域が受信周波数帯域にはいらないよう、統合的なスケジューリングおよび周波数領域の資源ずらしの態様を提供するために、相互変調産物の特性がフルに利用される。加えて、相互変調産物による干渉を受けることが避けられない周波数帯域については、相互変調干渉問題を解決するために、スケジューリングをしない態様が使われる。相互変調干渉信号の周波数範囲は、相互変調を生成するキャリアの周波数および帯域幅が変化するにつれて変化する。よって、下りリンク・スケジューリングが実行されているとき、送信キャリアの好適な周波数および送信キャリアによって占められる好適な帯域幅が選択され、それにより、生成される相互変調干渉信号および受信周波数帯域がずらされるか、または受信周波数帯域ができるだけ少なく占有されるようになり、上りリンク・スケジューリングは該上りリンク・スケジューリングの間に前記相互変調干渉信号によって占められない周波数範囲を使って実行され、それにより、相互変調干渉問題を解決する。
【００８５】
下記は、図９および図１０を参照して上記のスケジューリング方法を詳細に記述する。図９および図１０は、LTE  800MHz、すなわち帯域20（Band20）を例として使って記述を提供する。別の通信システムまたは別の帯域の実装はこれと同様であり、ここでは述べない。二つのキャリアC1およびC2が存在し、キャリアC1の送信（TX）周波数帯域は791MHzないし801MHzであり、キャリアC1の受信（RX）周波数帯域は832MHzないし842MHzであり、キャリアC2の送信周波数帯域は811MHzないし821MHzであり、キャリアC2の受信周波数帯域は852MHzないし862MHzであるとする。キャリアC1およびC2の送信周波数帯域によって生成される相互変調信号はC1の受信周波数帯域に干渉を引き起こす。
【００８６】
上記の相互変調干渉問題を解決するために、この実施形態では、キャリアC1はサブ周波数範囲FC11、FC12およびFC13に分割される。FC11の周波数の範囲は791MHzないし794.33MHzであり、FC12の周波数の範囲は794.33MHzないし797.66MHzであり、FC13の周波数の範囲は797.66MHzないし801MHzである。キャリアC2はサブ周波数範囲FC21、FC22およびFC23に分割される。FC21の周波数の範囲は811MHzないし814.33MHzであり、FC22の周波数の範囲は814.33MHzないし817.66MHzであり、FC23の周波数の範囲は817.66MHzないし821MHzである。
【００８７】
キャリアC1のサブ周波数範囲FC11、FC12およびFC13の組み合わせは[FC11]、[FC12]、[FC13]、[FC11,FC12]、[FC11,FC13]、[FC12,FC13]および[FC11,FC12,FC13]を含み；キャリアC2のサブ周波数範囲FC21、FC22およびFC23の組み合わせは[FC21]、[FC22]、[FC23]、[FC21,FC22]、[FC21,FC23]、[FC22,FC23]および[FC21,FC22,FC23]を含む。キャリアC1のサブ周波数範囲FC11、FC12およびFC13の組み合わせの任意のものと、キャリアC2のサブ周波数範囲FC21、FC22およびFC23の組み合わせの任意のものとが、キャリアC1およびC2の送信サブ周波数帯域組み合わせをなす。各送信サブ周波数帯域組み合わせによって生成される相互変調信号によって占められる周波数範囲は、上記の公式(1)〜(4)に基づく計算を通じて得られてもよい。それにより、相互変調信号干渉帯域を知ることができ、各送信サブ周波数帯域組み合わせによって生成される相互変調信号によって占められる周波数範囲と、各キャリアの受信周波数帯域との間の重ならない部分、すなわち重ならない周波数範囲も得ることができる。このようにして、上りリンク・スケジューリングを実行するための重ならない周波数範囲が選択されうる。これは相互変調干渉を防ぐ。
【００８８】
図９に示されるように、無線送信装置は、送信サブ周波数帯域組み合わせを形成するために、キャリアC1およびキャリアC2から別個に一つのサブ周波数範囲を選択し、異なる送信サブ周波数帯域組み合わせがスケジュールされると、生成される相互変調干渉信号は異なる周波数範囲を占め、相互変調干渉信号によって占められる周波数範囲と、各キャリアの受信周波数帯域との間の重なり合う部分が異なる。たとえば、キャリアC1の送信周波数帯域におけるサブ周波数範囲FC13およびキャリアC2のサブ周波数範囲FC21がスケジュールされるときに、生成される相互変調干渉信号とキャリアC1およびキャリアC2の受信周波数帯域との間の重なり合う部分が最も少ない。この送信サブ周波数帯域組み合わせを選択することによって、最大の上りリンク資源利用率が達成できる。加えて、代替的に、（図９の破線の四角において示されるように）キャリアC1の送信周波数帯域におけるサブ周波数範囲FC12およびキャリアC2のサブ周波数範囲FC21またはFC23を選択することによって、比較的大きな重ならない周波数範囲が得られる。よって、これら三つの送信サブ周波数帯域組み合わせも選択されうる。この場合、二つのキャリアC1およびC2の下りリンク資源利用率はたった1/3である。よって、この選択は、下りリンク・サービス・トラフィックが軽く、下りリンク・サービス要求が下りリンク資源の1/3だけを使って満たせるシナリオに適用可能である。下りリンク・サービス・トラフィックが比較的重いときは、下りリンク資源利用率を増すことができる。図１０に示されるように、無線送信装置は、送信サブ周波数帯域組み合わせを形成するために、キャリアC1から二つのサブ周波数範囲を選択し、キャリアC2から一つのサブ周波数範囲を選択する。異なる送信サブ周波数帯域組み合わせがスケジュールされると、生成される相互変調干渉信号は異なる周波数範囲を占め、相互変調干渉信号によって占められる周波数範囲と、各キャリアの受信周波数帯域との間の重なり合う部分が異なる。キャリアC1の送信周波数帯域におけるサブ周波数範囲FC12およびサブ周波数範囲FC13ならびにキャリアC2のサブ周波数範囲FC21の組み合わせがスケジュールされるとき、生成される相互変調干渉信号によって示される周波数範囲とキャリアC1の受信周波数帯域との間の重なり合う部分が最も少ない。つまり、重ならない周波数範囲が最大になる。よって、この送信サブ周波数帯域組み合わせが現在の送信周波数範囲として使われうることが好ましいことがあり、さらに、上りリンク・スケジューリングは該重ならない周波数範囲を使って実行される。たしかに、破線の四角に示される他の送信サブ周波数帯域組み合わせも使用のために選択されうるが、該他の送信サブ周波数帯域組み合わせの上りリンク資源利用率は最大には達しない。
【００８９】
上記の実施形態では、下りリンク・スケジューリングは、各キャリアについての送信サブ周波数帯域を選択することによって実装され、同時に、利用可能な上りリンク・スケジューリング資源が決定される。これに基づいて、代替的に、逆が実行されてもよい。すなわち、まず上りリンク・スケジューリング資源が選択されて、次いで、上りリンク・スケジューリング資源に基づいて、各キャリアで使用のために選択されうる送信サブ周波数帯域が見出される。下記は、付属の図面を参照して記述を提供する。
【００９０】
図１１を参照するに、図１１は、本発明のある実施形態に基づくスケジューリング方法のフローチャートである。本スケジューリング方法は無線送信装置によって実行され、少なくとも二つのキャリアを使って通信を実行する通信システムにおいて使われる。ここで、各キャリアは送信周波数帯域および受信周波数帯域を含む。無線送信装置は無線周波信号を送信することのできる装置であり、たとえば基地局の無線周波部、無線アクセスポイントまたは無線リモート・ユニット（Radio  Remote  Unit、RRU）であってもよいこと、本発明はそれに限定されないことを理解しておくべきである。本稿での基地局とは、端末を無線ネットワークに接続する装置を指し、さまざまな通信規格における基地局、たとえば進化型ノードB（evolved  Node  B、eNB）、無線ネットワーク・コントローラ（radio  network  controller、RNC）、ノードB（ノードB、NB）、基地局コントローラ（Base  Station  Controller、BSC）、ベース・トランシーバー・ステーション（Base  Transceiver  Station、BTS）または家庭基地局（たとえば、Home  evolved  Node  BまたはHome  Node  B、HNB）を含む。さらに、各キャリアが一つの送信周波数帯域に対応する、または各キャリアが一つの周波数における一つの送信帯域幅を占めること；加えて、各キャリアが一つの受信周波数帯域に対応する、または各キャリアが一つの周波数における一つの受信帯域幅を占めること；任意の二つのキャリアの間の送信周波数帯域は重なり合わないこと；任意の二つのキャリアの間の受信周波数帯域も重なり合わないことを理解しておくべきである。加えて、送信周波数帯域および受信周波数帯域は対で現われる。送信周波数帯域が決定されるとき、受信周波数帯域も決定される。
【００９１】
図１１に示されるように、本スケジューリング方法は下記の段階を含む。
【００９２】
Ｓ１１１０。無線送信装置が、前記少なくとも二つのキャリアから、相互変調によって干渉を受けうる目標キャリアを判別する。
【００９３】
Ｓ１１２０。無線送信装置が、前記目標キャリアの受信周波数帯域から、前記目標キャリアについての受信サブ周波数帯域を選択する。
【００９４】
Ｓ１１３０。無線送信装置が、各キャリアについての送信サブ周波数帯域を、選択された受信サブ周波数帯域に従って、すべての前記キャリアの送信サブ周波数帯域によって生成される相互変調干渉信号によって占められる周波数範囲と前記目標キャリアの受信周波数帯域との間に重ならない部分が存在するように、決定する。前記重ならない部分は前記選択された受信サブ周波数帯域を含む。
【００９５】
Ｓ１１４０。無線送信装置が、各キャリアの送信サブ周波数帯域を使って下りリンク・スケジューリングを実行し、目標キャリアの受信サブ周波数帯域を使って上りリンク・スケジューリングを実行する。目標キャリア以外の他のキャリアについて、そのキャリアの受信周波数帯域全体が上りリンク・スケジューリングを実行するために使われてもよい。
【００９６】
上記の実装は上記の諸実施形態における実装と同じであり、上記の諸実施形態において提供されたリストが前記無線送信装置において設定されてもよいことを注意しておくべきである。このリストが使われるとき、目標キャリアの受信サブ周波数帯域を選択するために同様のポリシーが使用されてもよい。たとえば、上記の段階Ｓ１１２０は次の段階を含む：前記リストから、ポリシーの要求を満たす目標相互変調信号干渉帯域を選択する段階であって、選択される目標相互変調信号干渉帯域と目標キャリアの受信周波数帯域との間には重ならない部分が存在する、段階と；選択された目標相互変調信号干渉帯域と目標キャリアの受信周波数帯域との間に存在する前記重ならない部分を、その目標キャリアについて選択された受信サブ周波数帯域として使う段階。あるいはまた、上記の段階Ｓ１１２０は、次の段階を含む：前記リストから、あるポリシーの要求を満たす目標の重ならない周波数範囲を選択し；選択された、目標の重ならない周波数範囲を、目標キャリアについて選択された受信サブ周波数帯域として使う。
【００９７】
加えて、ポリシー使用に関し、干渉許容度を満たす相互変調信号干渉帯域または干渉許容度を満たす重ならない周波数範囲が、干渉許容度ポリシーに従って前記リストから選択されてもよい。つまり、相互変調信号干渉帯域または重ならない周波数範囲が選択され、相互変調信号干渉帯域と目標キャリアの受信周波数帯域との間に存在する該重ならない部分（すなわち、重ならない周波数範囲）が事前設定された閾値要求を満たす。たとえば、図９または図１０の破線の四角において示される重ならない周波数範囲が選択される。次いで、他のポリシー要求がないときは、これらの相互変調信号干渉帯域または重ならない周波数範囲の任意のものが目標相互変調信号干渉帯域または目標の重ならない周波数範囲として選択されてもよい。別のポリシー要求、たとえば最大上りリンク資源利用についての測定要求があるときは、図９に示される相互変調信号干渉帯域IM1が目標相互変調信号干渉帯域として選択される、または重ならない周波数範囲R1が目標の重ならない周波数範囲として選択される。もう一つの例として、上りリンク資源利用率要求に加えて下りリンク・サービス・トラフィック要求がある、たとえばC1のために比較的重い下りリンク・サービス・トラフィックが要求されるときは、図１０における相互変調信号干渉帯域IM2が目標相互変調信号干渉帯域として選択されてもよく、または重ならない周波数範囲R2が目標の重ならない周波数範囲として選択される。
【００９８】
このようにして、受信サブ周波数帯域に対応する送信サブ周波数帯域組み合わせが決定されうる。すると、上りリンク・スケジューリング資源の選択および下りリンク・スケジューリング資源の選択はいずれも完了であり、通信を実行できる。あるいはまた、上記の方法は無線送信装置において直接実装されることもできる。この場合、無線送信装置は送信サブ周波数帯域組み合わせのすべてを見ていって、その中で目標相互変調信号干渉帯域を見出す。この場合、上記の方法はさらに、次の段階を含む：すべての送信サブ周波数帯域組み合わせを調べていって、各送信サブ周波数帯域組み合わせに対応する相互変調信号干渉帯域を決定する段階であって、各送信サブ周波数帯域組み合わせは各キャリアの一つの送信サブ周波数帯域を含む、段階。加えて、上記の段階Ｓ１１２０は次の段階を含む：すべての送信サブ周波数帯域組み合わせに対応する相互変調信号干渉帯域から、ポリシーの要求を満たす目標相互変調信号干渉帯域を選択する段階であって、選択される目標相互変調信号干渉帯域と目標キャリアの受信周波数帯域との間には重ならない部分が存在する、段階と；選択された目標相互変調信号干渉帯域と目標キャリアの受信周波数帯域との間に存在する前記重ならない部分を、その目標キャリアについて選択された受信サブ周波数帯域として使う段階。
【００９９】
送信サブ周波数帯域組み合わせおよびポリシーなどについては、上記の諸実施形態が参照されうる。ここで改めて詳細を述べることはしない。
【０１００】
加えて、キャリアの受信周波数帯域が少なくとも二つのサブ周波数範囲に分割されてもよい。ここで、分割は、送信周波数帯域の上記の分割と同じであり、均等な分割であってもよく、または不均等な分割であってもよく、干渉を受けるキャリアのみが分割されるのであってもよい。次いで、一つまたは複数のサブ周波数範囲が干渉許容度に従って受信サブ周波数帯域として選択されうる。次いで、その受信サブ周波数帯域を含む重ならない周波数範囲が上記の方法に従って選択され、該重ならない周波数範囲に従って送信サブ周波数帯域組み合わせが決定される。
【０１０１】
図５ないし図１１は、相互変調干渉を低減するための方法を詳細に記述している。以下は、図１２ないし図１５を参照して、本発明の実施形態に基づく相互変調干渉を低減するための装置を詳細に記述する。
【０１０２】
図１２は、本発明のある実施形態に基づく無線送信装置の概略的なブロック図である。図１２に示されるように、装置１２００は、少なくとも二つのキャリアを使って通信を実行する通信システムにおいて使われる。ここで、各キャリアは送信周波数帯域および受信周波数帯域を含む。装置１２００は：
各キャリアの送信周波数帯域から、各キャリアについての送信サブ周波数帯域を選択するよう構成された選択ユニット１２１０であって、少なくとも一つの送信サブ周波数帯域があり、該少なくとも一つの送信サブ周波数帯域は、該少なくとも一つの送信サブ周波数帯域が位置している送信周波数帯域の真部分集合であり、それにより、すべての送信サブ周波数帯域によって生成される相互変調干渉信号によって占められる周波数範囲と各キャリアの受信周波数帯域との間には重ならない部分が存在し、該重ならない部分は重ならない周波数範囲であり、前記相互変調干渉信号によって占められる周波数範囲は相互変調信号干渉帯域である、選択ユニットと；
各キャリアの前記送信サブ周波数帯域を使って下りリンク・スケジューリングを実行し、前記重ならない周波数範囲を使って上りリンク・スケジューリングを実行するよう構成されたスケジューリング・ユニット１２２０とを含む。
【０１０３】
本発明のこの実施形態によれば、相互変調干渉帯域ができるだけ受信周波数帯域にはいらないよう、統合的なスケジューリングおよび周波数領域の資源ずらしの態様を提供するために、相互変調産物の特性がフルに利用される。加えて、相互変調産物による干渉を受けることが避けられない周波数帯域については、相互変調干渉問題を解決するために、スケジューリングをしない態様が使われる。相互変調干渉信号の周波数範囲は、相互変調を生成するキャリアの周波数および帯域幅が変化するにつれて変化する。よって、下りリンク・スケジューリングが実行されているとき、送信キャリアの好適な周波数および送信キャリアによって占められる好適な帯域幅が選択され、それにより、生成される相互変調干渉信号および受信周波数帯域がずらされるか、または受信周波数帯域ができるだけ少なく占有されるようになり、上りリンク・スケジューリングは該上りリンク・スケジューリングの間に前記相互変調干渉信号によって占められない周波数範囲を使って実行され、それにより、相互変調干渉問題を解決する。
【０１０４】
この実施形態における選択ユニットは、無線送信装置のプロセッサによって実装されてもよいことを注意しておくべきである。このプロセッサは、独立して配置されるプロセッサであってもよく、あるいは実装のために無線送信装置のプロセッサに統合されてもよい。加えて、代替的に、選択ユニットは、無線送信装置のメモリ内のプログラム・コードの形で格納されていてもよい。上記の選択ユニットの機能を実行するために、該プログラム・コードが無線送信装置のプロセッサによって呼び出される。スケジューリング・ユニットは選択ユニットと同じように実装され、選択ユニットと統合されてもよく、あるいは独立して実装されてもよい。本稿に記載されるプロセッサは、中央処理ユニット（Central  Processing  Unit、CPU）または特定用途向け集積回路（Application  Specific  Integrated  Circuit、ASIC）であってもよく、あるいは本発明のこの実施形態を実装するための一つまたは複数の集積回路として構成されてもよい。
【０１０５】
任意的に、本発明のある実施形態として、前記相互変調干渉信号によって占められる周波数範囲と各キャリアの受信周波数帯域との間の前記重ならない周波数範囲は、そのキャリアの受信周波数帯域の周波数範囲の全部または一部である。
【０１０６】
任意的に、本発明のある実施形態として、リストが前記無線送信装置に記憶されている。前記リストは、複数の送信サブ周波数帯域組み合わせと、各送信サブ周波数帯域組み合わせに対応する相互変調信号干渉帯域とを含み、各キャリアの送信周波数帯域は少なくとも二つのサブ周波数範囲を含み、前記少なくとも二つのサブ周波数範囲の任意の組み合わせがそのキャリアの送信サブ周波数帯域であり、各送信サブ周波数帯域組み合わせは、各キャリアの一つの送信サブ周波数帯域を含み、選択ユニット１２１０は具体的には：前記リストから、ポリシーの要求を満たす目標送信サブ周波数帯域組み合わせを選択する段階であって、前記目標送信サブ周波数帯域組み合わせに対応する相互変調信号干渉帯域と各キャリアの受信周波数帯域との間には重ならない部分が存在する、段階と；各キャリアの前記送信周波数帯域から前記送信サブ周波数帯域を、前記目標送信サブ周波数帯域組み合わせに従って選択する段階とを実行するよう構成される。
【０１０７】
任意的に、本発明のある実施形態として、ポリシーは、次のポリシーのうちの一つまたは複数を含む：上りリンク資源利用最大化ポリシー、サービス・トラフィック要求ポリシーおよび干渉許容度ポリシー。ここで、上りリンク資源利用最大化ポリシーは、目標送信サブ周波数帯域組み合わせに対応する相互変調信号干渉帯域と各キャリアの受信周波数帯域との間に存在する重ならない部分が最大化されることを要求し；サービス・トラフィック要求ポリシーは、目標送信サブ周波数帯域組み合わせにおける各キャリアの送信サブ周波数帯域があるサービス・トラフィック要求を満たすことを要求し；干渉許容度ポリシーは、目標送信サブ周波数帯域組み合わせに対応する相互変調信号干渉帯域と各キャリアの受信周波数帯域との間に存在する重ならない部分が事前設定された閾値以上であることを要求する。
【０１０８】
任意的に、本発明のある実施形態として、無線送信装置１２００にリストが記憶される。リストは、複数の送信サブ周波数帯域組み合わせと、各送信サブ周波数帯域組み合わせに対応する重ならない周波数範囲とを含み、各キャリアの送信周波数帯域は少なくとも二つのサブ周波数範囲を含み、前記少なくとも二つのサブ周波数範囲の任意の組み合わせはそのキャリアの送信サブ周波数帯域であり、各送信サブ周波数帯域組み合わせは各キャリアの一つの送信サブ周波数帯域を含み、選択ユニット１２１０は具体的には：前記リストから、あるポリシーの要求を満たす目標送信サブ周波数帯域組み合わせを選択し；該目標送信サブ周波数帯域組み合わせに従って、各キャリアの送信周波数帯域から前記送信サブ周波数帯域を選択するよう構成される。
【０１０９】
任意的に、本発明のある実施形態として、各キャリアの送信周波数帯域は同じ量のサブ周波数範囲を含み、それらのサブ周波数範囲のそれぞれは同じ帯域幅をもつ。
【０１１０】
任意的に、本発明のある実施形態として、ポリシーは、次のポリシーのうちの一つまたは複数を含む：上りリンク資源利用最大化ポリシー、サービス・トラフィック要求ポリシーおよび干渉許容度ポリシー。ここで、上りリンク資源利用最大化ポリシーは、目標送信サブ周波数帯域組み合わせに対応する重ならない周波数範囲が最大化されることを要求し；サービス・トラフィック要求ポリシーは、目標送信サブ周波数帯域組み合わせにおける各キャリアの送信サブ周波数帯域があるサービス・トラフィック要求を満たすことを要求し；干渉許容度ポリシーは、目標送信サブ周波数帯域組み合わせに対応する重ならない周波数範囲が事前設定された閾値以上であることを要求する。
【０１１１】
任意的に、本発明のある実施形態として、各キャリアの送信周波数帯域は同じ量のサブ周波数範囲を含み、それらのサブ周波数範囲のそれぞれは同じ帯域幅をもつ。
【０１１２】
任意的に、本発明のある実施形態として、各キャリアの送信周波数帯域は少なくとも二つのサブ周波数範囲を含み；各キャリアについて、前記少なくとも二つのサブ周波数範囲の任意の組み合わせはそのキャリアの送信サブ周波数帯域であり；選択ユニット１２１０は具体的には：すべての送信サブ周波数帯域組み合わせをたどり、各送信サブ周波数帯域組み合わせに対応する相互変調信号干渉帯域を決定する段階であって、各送信サブ周波数帯域組み合わせは各キャリアの一つの送信サブ周波数帯域を含む、段階と；各キャリアの受信周波数帯域との間に重ならない部分がある相互変調信号干渉帯域に対応する送信サブ周波数帯域組み合わせを見出す段階と；見出された送信サブ周波数帯域組み合わせから、あるポリシーの要求を満たす目標送信サブ周波数帯域組み合わせを選択する段階と；該目標送信サブ周波数帯域組み合わせに従って、各キャリアの送信周波数帯域から前記送信サブ周波数帯域を選択する段階とを実行するよう構成される。
【０１１３】
任意的に、本発明のある実施形態として、ポリシーは、次のポリシーのうちの一つまたは複数を含む：上りリンク資源利用最大化ポリシー、サービス・トラフィック要求ポリシーおよび干渉許容度ポリシー。ここで、上りリンク資源利用最大化ポリシーは、目標送信サブ周波数帯域組み合わせに対応する相互変調信号干渉帯域と各キャリアの受信周波数帯域との間に存在する重ならない部分が最大化されることを要求する、または目標送信サブ周波数帯域組み合わせに対応する重ならない周波数範囲が最大化されることを要求し；サービス・トラフィック要求ポリシーは、目標送信サブ周波数帯域組み合わせにおける各キャリアの送信サブ周波数帯域があるサービス・トラフィック要求を満たすことを要求し；干渉許容度ポリシーは、目標送信サブ周波数帯域組み合わせに対応する相互変調信号干渉帯域と各キャリアの受信周波数帯域との間に存在する重ならない部分が事前設定された閾値以上であることを要求する、または目標送信サブ周波数帯域組み合わせに対応する重ならない周波数範囲が事前設定された閾値以上であることを要求する。
【０１１４】
本発明のこの実施形態によれば、相互変調干渉帯域ができるだけ受信周波数帯域にはいらないよう、統合的なスケジューリングおよび周波数領域の資源ずらしの態様を提供するために、相互変調産物の特性がフルに利用される。加えて、相互変調産物による干渉を受けることが避けられない周波数帯域については、相互変調干渉問題を解決するために、スケジューリングをしない態様が使われる。相互変調干渉信号の周波数範囲は、相互変調を生成するキャリアの周波数および帯域幅が変化するにつれて変化する。よって、下りリンク・スケジューリングが実行されているとき、送信キャリアの好適な周波数および送信キャリアによって占められる好適な帯域幅が選択され、それにより、生成される相互変調干渉信号および受信周波数帯域がずらされるか、または受信周波数帯域ができるだけ少なく占有されるようになり、上りリンク・スケジューリングは該上りリンク・スケジューリングの間に前記相互変調干渉信号によって占められない周波数範囲を使って実行され、それにより、相互変調干渉問題を解決する。
【０１１５】
図１３は、本発明に基づく無線送信装置の概略的なブロック図である。図１３に示されるように、装置１３００は、少なくとも二つのキャリアを使って通信を実行する通信システムにおいて使われる。ここで、各キャリアは送信周波数帯域および受信周波数帯域を含む。装置１３００は：
前記少なくとも二つのキャリアから、相互変調によって干渉を受けうる目標キャリアを判別するよう構成された判別ユニット１３１０と；
前記目標キャリアの受信周波数帯域から、前記目標キャリアについての受信サブ周波数帯域を選択するよう構成された選択ユニット１３２０とを含み、
判別ユニット１３１０はさらに、各キャリアについての送信サブ周波数帯域を、選択された受信サブ周波数帯域に従って、前記少なくとも二つのキャリアの送信サブ周波数帯域によって生成される相互変調干渉信号によって占められる周波数範囲と前記目標キャリアの受信周波数帯域との間に重ならない部分が存在するように、決定するよう構成され、前記重ならない部分は前記選択された受信サブ周波数帯域を含み、
本装置はさらに、
各キャリアの送信サブ周波数帯域を使って下りリンク・スケジューリングを実行し、受信サブ周波数帯域を使って上りリンク・スケジューリングを実行するよう構成されたスケジューリング・ユニット１３３０を含む。
【０１１６】
この実施形態における判別ユニットは、無線送信装置のプロセッサによって実装されてもよいことを注意しておくべきである。このプロセッサは、独立して配置されるプロセッサであってもよく、あるいは実装のために無線送信装置のプロセッサに統合されてもよい。加えて、代替的に、判別ユニットは、無線送信装置のメモリ内のプログラム・コードの形で格納されていてもよい。上記の判別ユニットの機能を実行するために、該プログラム・コードが無線送信装置のプロセッサによって呼び出される。選択ユニットおよびスケジューリング・ユニットは判別ユニットと同じように実装され、これらのユニットの全部または一部は一緒に統合されてもよく、あるいはこれらのユニットは独立して実装されてもよい。本稿に記載されるプロセッサは、中央処理ユニット（Central  Processing  Unit、CPU）または特定用途向け集積回路（Application  Specific  Integrated  Circuit、ASIC）であってもよく、あるいは本発明のこの実施形態を実装するための一つまたは複数の集積回路として構成されてもよい。
【０１１７】
上記の実装は上記の諸実施形態における実装と同じであり、上記の諸実施形態において提供されたリストが前記無線送信装置において設定されてもよいことを注意しておくべきである。このリストが使われるとき、目標キャリアの受信サブ周波数帯域を選択するために同様のポリシーが使用されてもよい。たとえば、上記の選択ユニット１３２０は具体的には：前記リストから、ポリシーの要求を満たす目標相互変調信号干渉帯域を選択する段階であって、選択される目標相互変調信号干渉帯域と目標キャリアの受信周波数帯域との間には重ならない部分が存在する、段階と；選択された目標相互変調信号干渉帯域と目標キャリアの受信周波数帯域との間に存在する前記重ならない部分を、その目標キャリアについて選択された受信サブ周波数帯域として使う段階とを実行するよう構成される。あるいはまた、上記の選択ユニット１３２０は具体的には：前記リストから、あるポリシーの要求を満たす目標の重ならない周波数範囲を選択し；選択された、目標の重ならない周波数範囲を、目標キャリアについて選択された受信サブ周波数帯域として使うよう構成される。
【０１１８】
加えて、ポリシー使用に関し、干渉許容度を満たす相互変調信号干渉帯域または干渉許容度を満たす重ならない周波数範囲が、干渉許容度ポリシーに従って前記リストから選択されてもよい。つまり、相互変調信号干渉帯域または重ならない周波数範囲が選択され、相互変調信号干渉帯域と目標キャリアの受信周波数帯域との間に存在する該重ならない部分（すなわち、重ならない周波数範囲）が事前設定された閾値要求を満たす。たとえば、図９または図１０の破線の四角において示される重ならない周波数範囲が選択される。次いで、他のポリシー要求がないときは、これらの相互変調信号干渉帯域または重ならない周波数範囲の任意のものが目標相互変調信号干渉帯域または目標の重ならない周波数範囲として選択されてもよい。別のポリシー要求、たとえば最大上りリンク資源利用についての測定要求があるときは、図９に示される相互変調信号干渉帯域IM1が目標相互変調信号干渉帯域として選択される、または重ならない周波数範囲R1が目標の重ならない周波数範囲として選択される。もう一つの例として、上りリンク資源利用要求に加えて下りリンク・サービス・トラフィック要求がある、たとえばC1のために比較的重い下りリンク・サービス・トラフィックが要求されるときは、図１０における相互変調信号干渉帯域IM2が目標相互変調信号干渉帯域として選択されてもよく、または重ならない周波数範囲R2が目標の重ならない周波数範囲として選択される。
【０１１９】
このようにして、判別ユニット１３１０は、受信サブ周波数帯域に対応する送信サブ周波数帯域組み合わせを決定しうる。すると、上りリンク・スケジューリング資源の選択および下りリンク・スケジューリング資源の選択はいずれも完了であり、通信を実行できる。あるいはまた、無線送信装置１３００が送信サブ周波数帯域組み合わせのすべてを見ていって、その中で目標相互変調信号干渉帯域を見出してもよい。この場合、選択ユニットは具体的には次の段階を実行するよう構成される：すべての送信サブ周波数帯域組み合わせを調べていって、各送信サブ周波数帯域組み合わせに対応する相互変調信号干渉帯域を決定する段階であって、各送信サブ周波数帯域組み合わせは各キャリアの一つの送信サブ周波数帯域を含む、段階と；すべての送信サブ周波数帯域組み合わせに対応する相互変調信号干渉帯域から、ポリシーの要求を満たす目標相互変調信号干渉帯域を選択する段階であって、選択される目標相互変調信号干渉帯域と目標キャリアの受信周波数帯域との間には重ならない部分が存在する、段階と；選択された目標相互変調信号干渉帯域と目標キャリアの受信周波数帯域との間に存在する前記重ならない部分を、その目標キャリアについて選択された受信サブ周波数帯域として使う段階。
【０１２０】
送信サブ周波数帯域組み合わせおよびポリシーなどについては、上記の諸実施形態が参照されうる。ここで改めて詳細を述べることはしない。
【０１２１】
加えて、キャリアの受信周波数帯域が少なくとも二つのサブ周波数範囲に分割されてもよい。ここで、分割は、送信周波数帯域の上記の分割と同じであり、均等な分割であってもよく、または不均等な分割であってもよく、干渉を受けるキャリアのみが分割されるのであってもよい。次いで、一つまたは複数のサブ周波数範囲が干渉許容度に従って受信サブ周波数帯域として選択されうる。次いで、その受信サブ周波数帯域を含む重ならない周波数範囲が上記の方法に従って選択され、該重ならない周波数範囲に従って送信サブ周波数帯域組み合わせが決定される。
【０１２２】
本発明のこの実施形態によれば、相互変調干渉帯域ができるだけ受信周波数帯域にはいらないよう、統合的なスケジューリングおよび周波数領域の資源ずらしの態様を提供するために、相互変調産物の特性がフルに利用される。加えて、相互変調産物による干渉を受けることが避けられない周波数帯域については、相互変調干渉問題を解決するために、スケジューリングをしない態様が使われる。相互変調干渉信号の周波数範囲は、相互変調を生成するキャリアの周波数および帯域幅が変化するにつれて変化する。よって、下りリンク・スケジューリングが実行されているとき、送信キャリアの好適な周波数および送信キャリアによって占められる好適な帯域幅が選択され、それにより、生成される相互変調干渉信号および受信周波数帯域がずらされるか、または受信周波数帯域ができるだけ少なく占有されるようになり、上りリンク・スケジューリングは該上りリンク・スケジューリングの間に前記相互変調干渉信号によって占められない周波数範囲を使って実行され、それにより、相互変調干渉問題を解決する。
【０１２３】
図１４は、本発明のもう一つの実施形態に基づく無線送信装置の概略的なブロック図である。図１４に示されるように、無線送信装置１４００はプロセッサ１４０１およびインターフェース回路１４０２を含む。図１４はさらに、メモリ１４０３およびバス１４０４を示している。プロセッサ１４０１、インターフェース回路１４０２およびメモリ１４０３は接続されており、バス１４０４を使って相互通信を完遂する。プロセッサ１４０１は、各キャリアの送信周波数帯域から、各キャリアについての送信サブ周波数帯域を選択するよう構成され、少なくとも一つの送信サブ周波数帯域があり、該少なくとも一つの送信サブ周波数帯域は、該少なくとも一つの送信サブ周波数帯域が位置している送信周波数帯域の真部分集合であり、それにより、すべての送信サブ周波数帯域によって生成される相互変調干渉信号によって占められる周波数範囲と各キャリアの受信周波数帯域との間には重ならない部分が存在し、該重ならない部分は重ならない周波数範囲であり、前記相互変調干渉信号によって占められる周波数範囲は相互変調信号干渉帯域である。加えて、プロセッサ１４０１は、インターフェース回路１４０２を通じて、送信サブ周波数帯域を使って下りリンク・スケジューリングを実行し、前記重ならない周波数範囲を使って上りリンク・スケジューリングを実行するよう構成される。
【０１２４】
本稿でのプロセッサ１４０１は一つのプロセッサであってもよく、複数の処理要素の集合的な用語であってもよいことを注意しておくべきである。たとえば、プロセッサは中央処理ユニット（Central  Processing  Unit、CPU）または特定用途向け集積回路（Application  Specific  Integrated  Circuit、ASIC）であってもよく、あるいは本発明のこの実施形態を実装するための一つまたは複数の集積回路、たとえば一つまたは複数のマイクロプロセッサ（Digital  Signal  Processor、DSP）または一つまたは複数のフィールドプログラマブルゲートアレイ（Field  Programmable  Gate  Array、FPGA）として構成されてもよい。
【０１２５】
メモリ１４０３は一つの記憶装置であってもよく、あるいは複数の記憶要素の集合的な用語であってもよく、アクセス・ネットワーク管理装置を走らせるために必要とされる実行可能なプログラム・コードまたはパラメータ、データなどを記憶するよう構成される。加えて、メモリ１４０３はランダム・アクセス・メモリ（RAM）を含んでいてもよく、あるいは不揮発性メモリ（non-volatile  memory）、たとえばディスク・メモリまたはフラッシュ（Flash）を含んでいてもよい。
【０１２６】
バス１４０４は、業界標準アーキテクチャー（Industry  Standard  Architecture、ISA）バス、周辺コンポーネント相互接続（Peripheral  Component、PCI）バスまたは拡張業界標準アーキテクチャー（Extended  Industry  Standard  Architecture、EISA）バスなどであってもよい。バス１４０４はアドレス・バス、データ・バス、制御バスなどに分類されうる。記述の簡単のため、図１４では、バスは一本の太線だけによって表わされているが、これは一つのバスまたは一つの型のバスしかないことを意味するものではない。
【０１２７】
本発明のこの実施形態によれば、相互変調干渉帯域ができるだけ受信周波数帯域にはいらないよう、統合的なスケジューリングおよび周波数領域の資源ずらしの態様を提供するために、相互変調産物の特性がフルに利用される。加えて、相互変調産物による干渉を受けることが避けられない周波数帯域については、相互変調干渉問題を解決するために、スケジューリングをしない態様が使われる。相互変調干渉信号の周波数範囲は、相互変調を生成するキャリアの周波数および帯域幅が変化するにつれて変化する。よって、下りリンク・スケジューリングが実行されているとき、送信キャリアの好適な周波数および送信キャリアによって占められる好適な帯域幅が選択され、それにより、生成される相互変調干渉信号および受信周波数帯域がずらされるか、または受信周波数帯域ができるだけ少なく占有されるようになり、上りリンク・スケジューリングは該上りリンク・スケジューリングの間に前記相互変調干渉信号によって占められない周波数範囲を使って実行され、それにより、相互変調干渉問題を解決する。
【０１２８】
任意的に、本発明のある実施形態として、前記相互変調干渉信号によって占められる周波数範囲と各キャリアの受信周波数帯域との間の前記重ならない周波数範囲は、そのキャリアの受信周波数帯域の周波数範囲の全部または一部である。
【０１２９】
任意的に、本発明のある実施形態として、リストがメモリ１４０３に記憶されている。前記リストは、複数の送信サブ周波数帯域組み合わせと、各送信サブ周波数帯域組み合わせに対応する相互変調信号干渉帯域とを含み、各キャリアの送信周波数帯域は少なくとも二つのサブ周波数範囲を含み、前記少なくとも二つのサブ周波数範囲の任意の組み合わせがそのキャリアの送信サブ周波数帯域であり、各送信サブ周波数帯域組み合わせは、各キャリアの一つの送信サブ周波数帯域を含み、プロセッサ１４０１は具体的には：前記リストから、ポリシーの要求を満たす目標送信サブ周波数帯域組み合わせを選択する段階であって、前記目標送信サブ周波数帯域組み合わせに対応する相互変調信号干渉帯域と各キャリアの受信周波数帯域との間には重ならない部分が存在する、段階と；各キャリアの前記送信周波数帯域から前記送信サブ周波数帯域を、前記目標送信サブ周波数帯域組み合わせに従って選択する段階とを実行するよう構成される。
【０１３０】
任意的に、本発明のある実施形態として、ポリシーは、次のポリシーのうちの一つまたは複数を含む：上りリンク資源利用最大化ポリシー、サービス・トラフィック要求ポリシーおよび干渉許容度ポリシー。ここで、上りリンク資源利用最大化ポリシーは、目標送信サブ周波数帯域組み合わせに対応する相互変調信号干渉帯域と各キャリアの受信周波数帯域との間に存在する重ならない部分が最大化されることを要求し；サービス・トラフィック要求ポリシーは、目標送信サブ周波数帯域組み合わせにおける各キャリアの送信サブ周波数帯域があるサービス・トラフィック要求を満たすことを要求し；干渉許容度ポリシーは、目標送信サブ周波数帯域組み合わせに対応する相互変調信号干渉帯域と各キャリアの受信周波数帯域との間に存在する重ならない部分が事前設定された閾値以上であることを要求する。
【０１３１】
任意的に、本発明のある実施形態として、メモリ１４０３にリストが記憶される。リストは、複数の送信サブ周波数帯域組み合わせと、各送信サブ周波数帯域組み合わせに対応する重ならない周波数範囲とを含み、各キャリアの送信周波数帯域は少なくとも二つのサブ周波数範囲を含み、前記少なくとも二つのサブ周波数範囲の任意の組み合わせはそのキャリアの送信サブ周波数帯域であり、各送信サブ周波数帯域組み合わせは各キャリアの一つの送信サブ周波数帯域を含み、プロセッサ１４０１は具体的には：前記リストから、あるポリシーの要求を満たす目標送信サブ周波数帯域組み合わせを選択し；該目標送信サブ周波数帯域組み合わせに従って、各キャリアの送信周波数帯域から前記送信サブ周波数帯域を選択するよう構成される。
【０１３２】
任意的に、本発明のある実施形態として、ポリシーは、次のポリシーのうちの一つまたは複数を含む：上りリンク資源利用最大化ポリシー、サービス・トラフィック要求ポリシーおよび干渉許容度ポリシー。ここで、上りリンク資源利用最大化ポリシーは、目標送信サブ周波数帯域組み合わせに対応する重ならない周波数範囲が最大化されることを要求し；サービス・トラフィック要求ポリシーは、目標送信サブ周波数帯域組み合わせにおける各キャリアの送信サブ周波数帯域があるサービス・トラフィック要求を満たすことを要求し；干渉許容度ポリシーは、目標送信サブ周波数帯域組み合わせに対応する重ならない周波数範囲が事前設定された閾値以上であることを要求する。
【０１３３】
任意的に、本発明のある実施形態として、各キャリアの送信周波数帯域は同じ量のサブ周波数範囲を含み、それらのサブ周波数範囲のそれぞれは同じ帯域幅をもつ。
【０１３４】
任意的に、本発明のある実施形態として、各キャリアの送信周波数帯域は少なくとも二つのサブ周波数範囲を含み；各キャリアについて、前記少なくとも二つのサブ周波数範囲の任意の組み合わせはそのキャリアの送信サブ周波数帯域であり；プロセッサ１４０１は具体的には：すべての送信サブ周波数帯域組み合わせをたどり、各送信サブ周波数帯域組み合わせに対応する相互変調信号干渉帯域を決定する段階であって、各送信サブ周波数帯域組み合わせは各キャリアの一つの送信サブ周波数帯域を含む、段階と；各キャリアの受信周波数帯域との間に重ならない部分がある相互変調信号干渉帯域に対応する送信サブ周波数帯域組み合わせを見出す段階と；見出された送信サブ周波数帯域組み合わせから、あるポリシーの要求を満たす目標送信サブ周波数帯域組み合わせを選択する段階と；該目標送信サブ周波数帯域組み合わせに従って、各キャリアの送信周波数帯域から前記送信サブ周波数帯域を選択する段階とを実行するよう構成される。
【０１３５】
任意的に、本発明のある実施形態として、ポリシーは、次のポリシーのうちの一つまたは複数を含む：上りリンク資源利用最大化ポリシー、サービス・トラフィック要求ポリシーおよび干渉許容度ポリシー。ここで、上りリンク資源利用最大化ポリシーは、目標送信サブ周波数帯域組み合わせに対応する相互変調信号干渉帯域と各キャリアの受信周波数帯域との間に存在する重ならない部分が最大化されることを要求する、または目標送信サブ周波数帯域組み合わせに対応する重ならない周波数範囲が最大化されることを要求し；サービス・トラフィック要求ポリシーは、目標送信サブ周波数帯域組み合わせにおける各キャリアの送信サブ周波数帯域があるサービス・トラフィック要求を満たすことを要求し；干渉許容度ポリシーは、目標送信サブ周波数帯域組み合わせに対応する相互変調信号干渉帯域と各キャリアの受信周波数帯域との間に存在する重ならない部分が事前設定された閾値以上であることを要求する、または目標送信サブ周波数帯域組み合わせに対応する重ならない周波数範囲が事前設定された閾値以上であることを要求する。
【０１３６】
本発明のこ実施形態によれば、相互変調干渉帯域ができるだけ受信周波数帯域にはいらないよう、統合的なスケジューリングおよび周波数領域の資源ずらしの態様を提供するために、相互変調産物の特性がフルに利用される。加えて、相互変調産物による干渉を受けることが避けられない周波数帯域については、相互変調干渉問題を解決するために、スケジューリングをしない態様が使われる。相互変調干渉信号の周波数範囲は、相互変調を生成するキャリアの周波数および帯域幅が変化するにつれて変化する。よって、下りリンク・スケジューリングが実行されているとき、送信キャリアの好適な周波数および送信キャリアによって占められる好適な帯域幅が選択され、それにより、生成される相互変調干渉信号および受信周波数帯域がずらされるか、または受信周波数帯域ができるだけ少なく占有されるようになり、上りリンク・スケジューリングは該上りリンク・スケジューリングの間に前記相互変調干渉信号によって占められない周波数範囲を使って実行され、それにより、相互変調干渉問題を解決する。
【０１３７】
図１５は、本発明のもう一つの実施形態に基づく無線送信装置の概略的なブロック図である。図１５に示されるように、無線送信装置１５００はプロセッサ１５０１およびインターフェース回路１５０２を含む。図１５はさらに、メモリ１５０３およびバス１５０４を示している。プロセッサ１５０１、インターフェース回路１５０２およびメモリ１５０３は接続されており、バス１５０４を使って相互通信を完遂する。プロセッサ１５０１は：前記少なくとも二つのキャリアから、相互変調によって干渉を受けうる目標キャリアを判別し；前記目標キャリアの受信周波数帯域から、前記目標キャリアについての受信サブ周波数帯域を選択し；各キャリアについての送信サブ周波数帯域を、選択された受信サブ周波数帯域に従って、前記少なくとも二つのキャリアの送信サブ周波数帯域によって生成される相互変調干渉信号によって占められる周波数範囲と前記目標キャリアの受信周波数帯域との間に重ならない部分が存在するように、決定する段階であって、前記重ならない部分は前記選択された受信サブ周波数帯域を含む、段階を実行し；インターフェース回路１５０２を通じて、各キャリアの送信サブ周波数帯域を使って下りリンク・スケジューリングを実行し、受信サブ周波数帯域を使って上りリンク・スケジューリングを実行するよう構成される。
【０１３８】
本稿でのプロセッサ１５０１は一つのプロセッサであってもよく、複数の処理要素の集合的な用語であってもよいことを注意しておくべきである。たとえば、プロセッサは中央処理ユニット（Central  Processing  Unit、CPU）または特定用途向け集積回路（Application  Specific  Integrated  Circuit、ASIC）であってもよく、あるいは本発明のこの実施形態を実装するための一つまたは複数の集積回路、たとえば一つまたは複数のマイクロプロセッサ（digital  signal  processor、DSP）または一つまたは複数のフィールドプログラマブルゲートアレイ（Field  Programmable  Gate  Array、FPGA）として構成されてもよい。
【０１３９】
メモリ１５０３は一つの記憶装置であってもよく、あるいは複数の記憶要素の集合的な用語であってもよく、アクセス・ネットワーク管理装置を走らせるために必要とされる実行可能なプログラム・コードまたはパラメータ、データなどを記憶するよう構成される。加えて、メモリ１５０３はランダム・アクセス・メモリ（RAM）を含んでいてもよく、あるいは不揮発性メモリ（non-volatile  memory）、たとえばディスク・メモリまたはフラッシュ（Flash）を含んでいてもよい。
【０１４０】
バス１５０４は、業界標準アーキテクチャー（Industry  Standard  Architecture、ISA）バス、周辺コンポーネント相互接続（Peripheral  Component、PCI）バスまたは拡張業界標準アーキテクチャー（Extended  Industry  Standard  Architecture、EISA）バスなどであってもよい。バス１５０４はアドレス・バス、データ・バス、制御バスなどに分類されうる。記述の簡単のため、図１５では、バスは一本の太線だけによって表わされているが、これは一つのバスまたは一つの型のバスしかないことを意味するものではない。
【０１４１】
本発明のこの実施形態によれば、相互変調干渉帯域ができるだけ受信周波数帯域にはいらないよう、統合的なスケジューリングおよび周波数領域の資源ずらしの態様を提供するために、相互変調産物の特性がフルに利用される。加えて、相互変調産物による干渉を受けることが避けられない周波数帯域については、相互変調干渉問題を解決するために、スケジューリングをしない態様が使われる。相互変調干渉信号の周波数範囲は、相互変調を生成するキャリアの周波数および帯域幅が変化するにつれて変化する。よって、下りリンク・スケジューリングが実行されているとき、送信キャリアの好適な周波数および送信キャリアによって占められる好適な帯域幅が選択され、それにより、生成される相互変調干渉信号および受信周波数帯域がずらされるか、または受信周波数帯域ができるだけ少なく占有されるようになり、上りリンク・スケジューリングは該上りリンク・スケジューリングの間に前記相互変調干渉信号によって占められない周波数範囲を使って実行され、それにより、相互変調干渉問題を解決する。
【０１４２】
当業者は、本明細書において開示される実施形態において記載される例と組み合わせて、ユニットおよびアルゴリズム段階が電子的なハードウェアによって、またはコンピュータ・ソフトウェアと電子的なハードウェアとの組み合わせによって実装されうることを認識しうる。機能がハードウェアまたはソフトウェアのどちらで実行されるかは具体的な応用および技術的解決策の設計制約条件に依存する。当業者は、記載される機能をそれぞれの具体的な応用のために実装するために異なる方法を使用してもよいが、該実装が本発明の範囲外であると考えられるべきではない。
【０１４３】
当業者には、簡便な記述のために、上記のシステム、装置およびユニットの詳細な動作プロセスについては、上記の方法実施形態における対応するプロセスが参照されうることは明確に理解されうる。ここで改めて詳細を記述することはしない。
【０１４４】
本願で提供されるいくつかの実施形態において、開示されるシステム、装置および方法は他の仕方で実装されてもよいことが理解されるべきである。たとえば、記載される装置実施形態は単に例示的である。たとえば、ユニットの分割は単に論理的な機能の分割であり、実際の実装では他の分割であってもよい。たとえば、複数のユニットまたはコンポーネントが組み合わされたり、統合されて別のシステムにされたりしてもよいし、あるいはいくつかの特徴が無視されたり、あるいは実行されなかったりしてもよい。加えて、表示されるまたは論じられる相互結合または直接結合または通信接続は、いくつかのインターフェースを通じて実装されてもよい。装置またはユニットの間の間接的な結合または通信接続は、電子的、機械的または他の形で実装されてもよい。
【０１４５】
別個の部分として記述されるユニットは、物理的に別個であってもなくてもよく、ユニットとして表示される諸部分は物理的なユニットであってもなくてもよく、一つの位置にあってもよく、あるいは複数のネットワーク・ユニットに分散されていてもよい。それらのユニットの一部または全部は、実施形態の解決策の目的を達成するための実際上の必要に応じて選択されうる。
【０１４６】
加えて、本発明の実施形態における機能ユニットは、一つの処理ユニットに統合されてもよく、あるいはそれらのユニットのそれぞれが物理的に単体で存在してもよく、あるいは二つ以上のユニットが一つのユニットに統合される。
【０１４７】
機能がソフトウェア機能ユニットの形で実装され、独立した製品として販売または使用されるとき、それらの機能はコンピュータ可読記憶媒体に記憶されてもよい。そのような理解に基づいて、本発明の技術的解決策は本質的に、あるいは従来技術に貢献する部分または技術的解決策の一部は、ソフトウェア・プロダクトの形で実装されてもよい。ソフトウェア・プロダクトは記憶媒体に記憶され、本発明の実施形態において記述された方法の段階の全部または一部を実行するようコンピュータ装置（これはパーソナル・コンピュータ、サーバーまたはネットワーク装置であってもよい）に命令するためのいくつかの命令を含む。上記の記憶媒体は：プログラム・コードを記憶できる任意の媒体、たとえばUSBフラッシュドライブ、リムーバブルハードディスク、読み出し専用メモリ（ROM、Read-Only  Memory）、ランダム・アクセス・メモリ（RAM、Random  Access  Memory）、磁気ディスクまたは光ディスクを含む。
【０１４８】
上記の記述は単に本発明の具体的な実装様式であり、本発明の保護範囲を限定することは意図されていない。本発明において開示される技術的範囲内で当業者によって容易に把握される任意の変形および置換が、本発明の保護範囲内にはいる。よって、本発明の保護範囲は請求項の保護範囲に従う。
【図１】
0006592589.tif 000003
【図２】
0006592589.tif 000004
【図３】
0006592589.tif 000005
【図４】
0006592589.tif 000006
【図５】
0006592589.tif 000007
【図６】
0006592589.tif 000008
【図７】
0006592589.tif 000009
【図８】
0006592589.tif 000010
【図９】
0006592589.tif 000011
【図１０】
0006592589.tif 000012
【図１１】
0006592589.tif 000013
【図１２】
0006592589.tif 000014
【図１３】
0006592589.tif 000015
【図１４】
0006592589.tif 000016
【図１５】
0006592589.tif 000017